(57)【要約】【課題】装置サイズの小型化を図ることができる画像読取装置を提供する。【解決手段】画像読取装置は、搬送経路に沿って搬送される媒体の面を読み取り可能な第１の画像読取ユニットと、媒体を媒体読取面に載置して当該媒体の面を読み取り可能な第２の画像読取ユニットと、前記媒体読取面に対して閉じた姿勢と開いた姿勢とを切換可能に設けられた開閉体とを備え、前記媒体読取面の少なくとも一部は装置高さ方向において前記第１の画像読取ユニットの少なくとも一部と重なっている。また、画像読取装置は、前記媒体読取面に対して閉じた姿勢と開いた姿勢とを切換可能に設けられた開閉体を備え、前記開閉体の少なくとも一部は装置高さ方向において前記第１の画像読取ユニットの少なくとも一部と重なっている。【選択図】図３
2020171029.tif 000002
【特許請求の範囲】
【請求項１】
搬送経路に沿って搬送される媒体の面を読み取り可能な第１の画像読取ユニットと、
媒体を媒体読取面に載置して当該媒体の面を読み取り可能な第２の画像読取ユニットと、
前記第２の画像読取ユニットに備えられ、前記媒体読取面に対して閉じた姿勢と開いた姿勢とを切換可能に設けられ、前記第１の画像読取ユニットから排出される媒体を載置する媒体載置部が上部に形成された開閉体と、
前記第１の画像読取ユニットと前記第２の画像読取ユニットの少なくとも一方が着脱可能に装着され、前記第１の画像読取ユニットと前記第２の画像読取ユニットとを一体化させる接続体と、を備え、
前記媒体読取面の少なくとも一部は装置高さ方向から上面視した場合において前記第１の画像読取ユニットの少なくとも一部と重なっていることを特徴とする画像読取装置。
【請求項２】
搬送経路に沿って搬送される媒体の面を読み取り可能な第１の画像読取ユニットと、
媒体を媒体読取面に載置して当該媒体の面を読み取り可能な第２の画像読取ユニットと、
前記第２の画像読取ユニットに備えられ、前記媒体読取面に対して閉じた姿勢と開いた姿勢とを切換可能に設けられ、前記第１の画像読取ユニットから排出される媒体を載置する媒体載置部が上部に形成された開閉体と、
前記第１の画像読取ユニットと前記第２の画像読取ユニットの少なくとも一方が着脱可能に装着され、前記第１の画像読取ユニットと前記第２の画像読取ユニットとを一体化させる接続体と、を備え、
前記開閉体の少なくとも一部は装置高さ方向から上面視した場合において前記第１の画像読取ユニットの少なくとも一部と重なっていることを特徴とする画像読取装置。
【請求項３】
請求項１に記載の画像読取装置において、
前記第１の画像読取ユニットに対して閉じた姿勢と、前記閉じた姿勢から前記第１の画像読取ユニットに対して回動して媒体を前記搬送経路に搬送可能な姿勢で支持する、前記第１の画像読取ユニットに対して開いた姿勢とを切換可能な媒体支持部を備え、
前記媒体読取面の少なくとも一部は、装置高さ方向において前記閉じた姿勢における前記媒体支持部の少なくとも一部と重なっていることを特徴とする画像読取装置。
【請求項４】
請求項２に記載の画像読取装置において、
前記第１の画像読取ユニットにおいて前記搬送経路に沿って搬送された媒体を排出する排出手段を備え、
前記開閉体の少なくとも一部は、装置高さ方向において前記排出手段の少なくとも一部と重なっていることを特徴とする画像読取装置。
【請求項５】
請求項２に記載の画像読取装置において、
前記第１の画像読取ユニットにおいて前記搬送経路に沿って搬送された媒体の少なくとも一方の面を読み取る画像読取部を備え、
前記開閉体の少なくとも一部は、装置高さ方向において前記画像読取部の少なくとも一部と重なっていることを特徴とする画像読取装置。
【請求項６】
請求項１に記載の画像読取装置において、
前記第１の画像読取ユニットにおいて前記搬送経路に沿って搬送された媒体を排出する排出手段と、
前記搬送経路において前記排出手段に対して搬送方向下流側に設けられた排出口と、を備え、
前記媒体読取面の少なくとも一部は、前記第１の画像読取ユニットにおける媒体の排出方向において前記排出手段と前記排出口との間に位置していることを特徴とする画像読取装置。
【請求項７】
請求項１から請求項６のいずれか一項に記載の画像読取装置において、
前記開閉体には当該開閉体に対して変位可能なスロープ部材が設けられ、
前記スロープ部材は、前記開閉体が前記第２の画像読取ユニットに対して閉じた姿勢にある場合、前記第１の画像読取ユニットから排出される媒体を前記媒体載置部へ案内するガイド姿勢を取り、前記開閉体が前記第２の画像読取ユニットに対して閉じた姿勢から開いた姿勢に切り換えられた場合、前記開閉体に対して変位して前記搬送経路から退避する非ガイド姿勢を取ることを特徴とする画像読取装置。
【請求項８】
請求項７に記載の画像読取装置において、
前記開閉体は、前記第２の画像読取ユニットに回動可能に取り付けられるとともに前記スロープ部材が設けられた第１部材と、
当該第１部材に対して回動可能に連結された第２部材と、を備えることを特徴とする画像読取装置。
【請求項９】
請求項７または請求項８に記載の画像読取装置において、
前記スロープ部材は前記第１の画像読取ユニットと接触し、前記接触した状態で前記第１の画像読取ユニットに対して変位可能な接触部を有することを特徴とする画像読取装置。
【請求項１０】
請求項９に記載の画像読取装置において、
前記スロープ部材は前記第１の画像読取ユニットにおける前記媒体の排出方向と交差する方向に延設されており、前記接触部は前記交差する方向において前記媒体の通過する領域から外れた位置に設けられていることを特徴とする画像読取装置。
【請求項１１】
請求項９または請求項１０に記載の画像読取装置において、
前記接触部は前記第１の画像読取ユニットと接触した状態で回転可能なローラー部材で構成されていることを特徴とする画像読取装置。
【請求項１２】
請求項１から請求項１１のいずれか一項に記載の画像読取装置と、
前記第１の画像読取ユニットは前記接続体の上面に装着され、前記第２の画像読取ユニットは前記接続体の側方から前記接続体に装着されることを特徴とする画像読取システム。
【請求項１３】
請求項１２に記載の画像読取システムにおいて、
前記接続体は前記第１の画像読取ユニットの底面の少なくとも一部を支持可能な第１の支持面と、前記第２の画像読取ユニットの底面の少なくとも一部を支持可能な第２の支持面とを有し、
前記第１の支持面は、前記第１の画像読取ユニットの底面の所定方向における１／２以上の長さ領域を支持可能であり、
前記第２の支持面は、前記第２の画像読取ユニットの底面の所定方向における１／２以上の長さ領域を支持可能であることを特徴とする画像読取システム。
【請求項１４】
請求項１２または請求項１３に記載の画像読取システムにおいて、
前記接続体には、前記第１の画像読取ユニット及び前記第２の画像読取ユニットが取り付けられた状態における前記接続体の重心位置に対応する位置に手掛け部が設けられていることを特徴とする画像読取システム。
【請求項１５】
請求項１２から請求項１４のいずれか一項に記載の画像読取システムにおいて、
前記接続体は、前記第２の画像読取ユニットの奥行き方向における位置を規定する位置規制部を備えることを特徴とする画像読取システム。
【請求項１６】
請求項１５に記載の画像読取システムにおいて、
前記接続体は、前記位置規制部の奥行き方向における背面側に、ケーブルの中継部を備えることを特徴とする画像読取システム。
【請求項１７】
搬送経路に沿って搬送される媒体の面を読み取り可能な第１の画像読取ユニットと、
媒体を媒体読取面に載置して当該媒体の面を読み取り可能な第２の画像読取ユニットと、
前記媒体読取面に対して閉じた姿勢と開いた姿勢とを切換可能に設けられた開閉体と、を備え、
前記開閉体の少なくとも一部は、装置高さ方向から上面視した場合において、前記第１の画像読取ユニットの少なくとも一部と重なっており、
前記開閉体には当該開閉体に対して変位可能なスロープ部材が設けられ、
前記スロープ部材は、前記開閉体が前記第２の画像読取ユニットに対して閉じた姿勢にある場合、前記第１の画像読取ユニットから排出される媒体を前記媒体載置部へ案内するガイド姿勢を取り、前記開閉体が前記第２の画像読取ユニットに対して閉じた姿勢から開いた姿勢に切り換えられた場合、前記開閉体に対して変位して前記搬送経路から退避する非ガイド姿勢を取ることを特徴とする画像読取装置。
【請求項１８】
請求項１７に記載の画像読取装置において、
前記開閉体は、前記第２の画像読取ユニットに回動可能に取り付けられるとともに前記スロープ部材が設けられた第１部材と、
当該第１部材に対して回動可能に連結された第２部材と、を備えることを特徴とする画像読取装置。
【請求項１９】
請求項１７または請求項１８に記載の画像読取装置において、
前記スロープ部材は前記第１の画像読取ユニットと接触し、前記接触した状態で前記第１の画像読取ユニットに対して変位可能な接触部を有することを特徴とする画像読取装置。
【請求項２０】
請求項１９に記載の画像読取装置において、
前記スロープ部材は前記第１の画像読取ユニットにおける前記媒体の排出方向と交差する方向に延設されており、前記接触部は前記交差する方向において前記媒体の通過する領域から外れた位置に設けられていることを特徴とする画像読取装置。
【発明の詳細な説明】
【技術分野】
【０００１】
本発明は、スキャナーに代表される画像読取装置、及び接続体を介して複数の画像読取ユニットから構成される画像読取システムに関する。
【背景技術】
【０００２】
従来、媒体の面を読み取る画像読取装置、いわゆるスキャナーには、媒体を搬送経路に沿って搬送し、装置内に設けられた画像読取部で媒体の少なくとも一方の面を読み取るシートフィードスキャナーと呼ばれるものと、媒体を媒体載置面に密着するように載置して当該媒体載置面と対向する媒体の面を読み取るフラットベッドスキャナーと呼ばれるものがある。
【０００３】
前記シートフィードスキャナーは、一般的に複数のシート状の媒体をセット可能に構成されており、セットされた複数のシート状の媒体を１枚ずつ分離して連続的に搬送経路に沿って搬送することにより、大量のシート状の媒体を読み取ることができる。
【０００４】
一方で、前記フラットベッドスキャナーは、媒体載置面上に媒体を載置して画像を読み取ることから本や雑誌などのように比較的厚みのある媒体を読み取ることができる。
【０００５】
そして、これらのスキャナーを使用するユーザーの中には、大量のシート状の媒体を読み取ることと比較的厚みのある媒体を読み取ることの２つの用途の両方を所望するユーザーも存在する。これらのユーザーの要望に応じて、シートフィードスキャナーとフラットベッドスキャナーの双方を備えた画像読取装置がある（特許文献１参照）。
【先行技術文献】
【特許文献】
【０００６】
【特許文献１】特開２００８−３１２０４３号公報
【発明の概要】
【発明が解決しようとする課題】
【０００７】
この画像読取装置は、フラットベッド型画像読取機構（フラットベッドスキャナー）と自動給紙型読取機構（シートフィードスキャナー）とを一体的に組み付けることで構成されている。この画像読取装置では、自動給紙型読取機構の装置前方側にフラットベッド型画像読取機構が配置されている。
【０００８】
フラットベッド型画像読取機構は、原稿を載置する原稿台に対して開閉自在に設けられ、フラットな平板状に形成された原稿カバーを備えている。前記原稿カバーは、自動給紙型読取機構側の端部に支点部が設けられ、該支点部を回動支点として回動可能であり、前記原稿台に対して閉じた状態において前記原稿台が設けられた領域を前記原稿カバーが覆うように構成されている。そして、前記原稿カバーが前記原稿台に対して閉じた状態から開いた状態とする際は、前記原稿カバーを装置奥行き方向前面側から背面側、つまり自動給紙型読取機構側に向けて回動させることにより前記原稿台が露出され、媒体をセット可能となる。
【０００９】
また、前記自動給紙型読取機構の前面には排紙開口が設けられている。そして、前記自動給紙型読取機構に設けられた搬送経路に沿って搬送されてきたシート状の媒体は、前記排紙開口から装置奥行き方向前方側に排出される。この際、前記原稿カバーは前記原稿台に対して閉じた状態とすることにより、当該原稿カバーの上面に前記排紙開口から排出されたシート状の媒体をスタックすることができる。つまり、フラットベッド型画像読取機構の原稿カバーは、自動給紙型読取機構から排出されたシート状の媒体のスタッカを兼ねている。
【００１０】
ところで、前記フラットベッド型画像読取機構における前記原稿台及び前記原稿カバーは装置奥行き方向において前記排紙開口よりも装置前方側に配置されており、即ち特許文献１記載の画像読取装置は自動給紙型読取機構（シートフィードスキャナー）とフラットベッド型画像読取機構（フラットベッドスキャナー）とを装置奥行き方向において順番に配置しただけであり、当該画像読取装置が大型化することとなる。
【００１１】
また、この画像読取装置では前記フラットベッド型画像読取機構と前記自動給紙型読取機構とを分離不能に一体的に組み付けているので、前記画像読取装置の重量の増大により、当該装置の運搬が困難となり運搬性が悪化する。
【００１２】
また、この画像読取装置において、前記フラットベッド型画像読取機構又は前記自動給紙型読取機構に故障が生じた場合、当該故障を生じた読取機構を前記画像読取装置から取り外して交換することができず、前記故障した読取機構の修理をすべく前記画像読取装置を修理に出すと、その間、故障の生じていない読取機構の使用も出来なくなり、ユーザーの利便性が低下する。
【００１３】
本発明は、上記問題点に鑑みてなされたもので、装置サイズを小さくすることができる画像読取装置を提供することを目的とする。また、運搬性及び利便性を向上させることができる画像読取装置を提供することを目的とする。
【課題を解決するための手段】
【００１４】
上記課題を達成するため、本発明の第１の態様の画像読取装置は、搬送経路に沿って搬送される媒体の面を読み取り可能な第１の画像読取ユニットと、媒体を媒体読取面に載置して当該媒体の面を読み取り可能な第２の画像読取ユニットと、前記媒体読取面に対して閉じた姿勢と開いた姿勢とを切換可能に設けられた開閉体とを備え、前記媒体読取面の少なくとも一部は装置高さ方向において前記第１の画像読取ユニットの少なくとも一部と重なっていることを特徴とする。
【００１５】
本態様によれば、前記媒体読取面（前記第２の画像読取ユニットを構成する）の少なくとも一部は装置高さ方向において前記第１の画像読取ユニットの少なくとも一部と重なっているので、装置高さ方向と交差する方向（例えば多くの場合、装置設置面に沿った方向）において前記第１の画像読取ユニットの領域に前記第２の画像読取ユニットが入り込んでいる状態となり、装置高さ方向と交差する方向における装置サイズを小さくすることができる。
【００１６】
本発明の第２の態様の画像読取装置は、搬送経路に沿って搬送される媒体の面を読み取り可能な第１の画像読取ユニットと、媒体を媒体読取面に載置して当該媒体の面を読み取り可能な第２の画像読取ユニットと、前記媒体読取面に対して閉じた姿勢と開いた姿勢とを切換可能に設けられた開閉体とを備え、前記開閉体の少なくとも一部は装置高さ方向において前記第１の画像読取ユニットの少なくとも一部と重なっていることを特徴とする。
【００１７】
本態様によれば、前記開閉体（前記第２の画像読取ユニットを構成する）の少なくとも一部は装置高さ方向において前記第１の画像読取ユニットの少なくとも一部と重なっているので、装置高さ方向と交差する方向（例えば多くの場合、装置設置面に沿った方向）において前記第１の画像読取ユニットの領域に前記第２の画像読取ユニットが入り込んでいる状態となり、装置高さ方向と交差する方向における装置サイズを小さくすることができる。
【００１８】
本発明の第３の態様の画像読取装置は、第１又は第２の態様において、前記第１の画像読取ユニットに対して閉じた姿勢と、前記閉じた姿勢から前記第１の画像読取ユニットに対して回動して媒体を前記搬送経路に搬送可能な姿勢で支持する、前記第１の画像読取ユニットに対して開いた姿勢とを切換可能な媒体支持部を備え、前記媒体読取面の少なくとも一部は、装置高さ方向において前記閉じた姿勢における前記媒体支持部の少なくとも一部と重なっていることを特徴とする。
【００１９】
本態様によれば、前記媒体読取面（前記第２の画像読取ユニットを構成する）の少なくとも一部は、装置高さ方向において前記閉じた姿勢における前記媒体支持部（前記第１の画像読取ユニットを構成する）の少なくとも一部と重なっているので、装置高さ方向と交差する方向（例えば多くの場合、装置設置面に沿った方向）において前記第１の画像読取ユニットの領域に前記第２の画像読取ユニットが入り込んでいる状態となり、装置高さ方向と交差する方向における装置サイズを小さくすることができる。
【００２０】
本発明の第４の態様の画像読取装置は、第１又は第２の態様において、前記第１の画像読取ユニットにおいて前記搬送経路に沿って搬送された媒体を排出する排出手段を備え、前記開閉体の少なくとも一部は、装置高さ方向において前記排出手段の少なくとも一部と重なっていることを特徴とする。
【００２１】
本態様によれば、前記開閉体（前記第２の画像読取ユニットを構成する）の少なくとも一部は、装置高さ方向において前記排出手段（前記第１の画像読取ユニットを構成する）の少なくとも一部と重なっているので、装置高さ方向と交差する方向（例えば多くの場合、装置設置面に沿った方向）において前記第１の画像読取ユニットの領域に前記第２の画像読取ユニットが入り込んでいる状態となり、装置高さ方向と交差する方向における装置サイズを小さくすることができる。
【００２２】
本発明の第５の態様の画像読取装置は、第１又は第２の態様において、前記第１の画像読取ユニットにおいて前記搬送経路に沿って搬送された媒体の少なくとも一方の面を読み取る画像読取部を備え、前記開閉体の少なくとも一部は、装置高さ方向において前記画像読取部の少なくとも一部と重なっていることを特徴とする。
【００２３】
本態様によれば、前記開閉体（前記第２の画像読取ユニットを構成する）の少なくとも一部は、装置高さ方向において前記第１の画像読取ユニットに設けられた前記画像読取部の少なくとも一部と重なっているので、装置高さ方向と交差する方向（例えば多くの場合、装置設置面に沿った方向）において前記第１の画像読取ユニットの領域に前記第２の画像読取ユニットが入り込んでいる状態となり、装置高さ方向と交差する方向における装置サイズを小さくすることができる。
【００２４】
本発明の第６の態様の画像読取装置は、第１又は第２の態様において、前記第１の画像読取ユニットにおいて前記搬送経路に沿って搬送された媒体を排出する排出手段と、前記搬送経路において前記排出手段に対して搬送方向下流側に設けられた排出口と、を備え、前記媒体読取面の少なくとも一部は、前記第１の画像読取ユニットにおける媒体の排出方向において前記排出手段と前記排出口との間に位置していることを特徴とする。
【００２５】
本態様によれば、前記媒体読取面（前記第２の画像読取ユニットを構成する）の少なくとも一部は、前記第１の画像読取ユニットにおける媒体の排出方向において前記排出手段と排出口との間に位置しているので、前記排出方向において前記第１の画像読取ユニットの領域に前記第２の画像読取ユニットが入り込んでいる状態となり、前記排出方向における装置サイズを小さくすることができる。
【００２６】
本発明の第７の態様の画像読取装置は、第２、第４及び第５のいずれか一の態様において、前記開閉体の上部は前記第１の画像読取ユニットから排出される媒体を載置する媒体載置部として形成され、前記開閉体には当該開閉体に対して変位可能なスロープ部材が設けられ、前記スロープ部材は、前記開閉体が前記第２の画像読取ユニットに対して閉じた姿勢にある場合、前記第１の画像読取ユニットから排出される媒体を前記媒体載置部へ案内するガイド姿勢を取り、前記開閉体が前記第２の画像読取ユニットに対して閉じた姿勢から開いた姿勢に切り換えられた場合、前記開閉体に対して変位して前記搬送経路から退避する非ガイド姿勢を取ることを特徴とする。
【００２７】
本態様によれば、前記スロープ部材は前記開閉体の前記第２の画像読取ユニットに対する開閉動作に応じて前記第１の画像読取ユニットに対する姿勢を切換可能であるので前記スロープ部材が前記第１の画像読取ユニットと干渉して前記開閉体の開閉動作を阻害することを抑制できる。
【００２８】
本発明の第８の態様の画像読取装置は、第７の態様において、前記開閉体は、前記第２の画像読取ユニットに回動可能に取り付けられるとともに前記スロープ部材が設けられた第１部材と、当該第１部材に対して回動可能に連結された第２部材とを備えることを特徴とする。
【００２９】
本態様によれば、前記開閉体を前記第２の画像読取ユニットに対して回動させて開いた際、前記第２部材は前記第２の画像読取ユニットに対して開いた状態の前記第１部材に対して更に回動方向に回動させることができるので、前記第２の画像読取ユニットに対して前記開閉体を開いた状態とした際の前記媒体読取面と前記第２部材とが成す開き角度を大きくでき、前記媒体読取面における媒体の交換や配置動作を容易にし、前記第２の画像読取ユニットの作業性を向上させることができる。
【００３０】
本発明の第９の態様の画像読取装置は、第７または第８の態様において、前記スロープ部材は前記第１の画像読取ユニットと接触し、前記接触した状態で前記第１の画像読取ユニットに対して変位可能な接触部を有することを特徴とする。
【００３１】
本態様によれば、前記開閉体を前記第２の画像読取ユニットに対して開閉させる際、前記スロープ部材が前記第１の画像読取ユニットと干渉して前記開閉体の開閉動作を阻害することを抑制できる。
【００３２】
本発明の第１０の態様の画像読取装置は、第９の態様において、前記スロープ部材は前記第１の画像読取ユニットにおける前記媒体の排出方向と交差する方向に延設されており、前記接触部は前記交差する方向において前記媒体の通過する領域から外れた位置に設けられていることを特徴とする。
【００３３】
本態様によれば、前記スロープ部材がガイド姿勢にある際、前記接触部は前記第１の画像読取ユニットから排出される媒体と接触する虞を低減できる。したがって、前記スロープ部材は前記第１の画像読取ユニットから排出された前記媒体を前記媒体載置部に良好にガイドすることができる。
【００３４】
本発明の第１１の態様の画像読取装置は、第９または第１０の態様において、前記接触部は前記第１の画像読取ユニットと接触した状態で回転可能なローラー部材で構成されていることを特徴とする。
【００３５】
本態様によれば、前記接触部はローラー部材で構成されているので、前記接触部と前記第１の画像読取ユニットとの間に生じる摩擦力を低減でき、前記接触部の前記第１の画像読取ユニットに対する変位を容易にできるとともに、前記接触部が前記第１の画像読取ユニットに傷を付与することを回避でき、或いは傷の程度を抑制できる。
【００３６】
本発明の第１２の態様の画像読取システムは、第１から第１１のいずれか一つの態様における画像読取装置と、前記第１の画像読取ユニット及び前記第２の画像読取ユニットがそれぞれ着脱可能に装着され、前記第１の画像読取ユニット及び前記第２の画像読取ユニットが装着された状態において前記第１の画像読取ユニットと前記第２の画像読取ユニットとを一体化させる接続体と、を備える。
【００３７】
本態様によれば、前記接続体には前記第１の画像読取ユニット及び前記第２の画像読取ユニットがそれぞれ着脱可能に装着されるので、例えば、前記画像読取システムを運搬する際、前記接続体から前記第１の画像読取ユニット及び前記第２の画像読取ユニットの少なくとも一つを取り外して運搬することが可能である。つまり、前記第１の画像読取ユニット及び前記第２の画像読取ユニットを一体で運ぶのではなく、前記第１の画像読取ユニット又は前記第２の画像読取ユニットを取り外し、複数回に分けて運搬できるので、１回あたりの運搬重量を小さくできる。その結果、当該画像読取システムの運搬性を向上させることができる。
【００３８】
また、前記画像読取システムにおいて、例えば前記第１の画像読取ユニット又は前記第２の画像読取ユニットが故障した際、故障した画像読取ユニットを前記接続体から取り外して修理に出す間も、故障していない画像読取ユニットの使用を継続できる。また、前記故障した画像読取ユニットを交換することにより、前記画像読取システムの状態を速やかに復旧できるので、故障による前記画像読取システムの使用できない期間を短くできる。したがって、前記画像読取システムにおける利便性を向上させることができる。
【００３９】
本発明の第１３の態様の画像読取システムは、第１２の態様において、前記第１の画像読取ユニットは前記接続体の上面に装着され、前記第２の画像読取ユニットは前記接続体の側方から前記接続体に装着されることを特徴とする。
【００４０】
本態様によれば、前記接続体に対して前記第１の画像読取ユニット及び前記第２の画像読取ユニットを装着する際、前記第１の画像読取ユニットは前記接続体へ上方から装着するのに対し、前記第２の画像読取ユニットは前記接続体へ側方から装着する。これにより、前記接続体への各画像読取ユニットの装着作業において、前記第１の画像読取ユニット及び前記第２の画像読取ユニットの装着経路が互いに干渉しないので、前記接続体への装着作業の作業性を向上させることができる。
【００４１】
本発明の第１４の態様の画像読取システムは、第１２または第１３の態様において、前記接続体は前記第１の画像読取ユニットの底面の少なくとも一部を支持可能な第１の支持面と、前記第２の画像読取ユニットの底面の少なくとも一部を支持可能な第２の支持面とを有し、前記第１の支持面は、前記第１の画像読取ユニットの底面の所定方向における１／２以上の長さ領域を支持可能であり、前記第２の支持面は、前記第２の画像読取ユニットの底面の所定方向における１／２以上の長さ領域を支持可能であることを特徴とする。
【００４２】
本態様によれば、前記接続体において前記第１の支持面は、前記第１の画像読取ユニットの底面の所定方向における１／２以上の長さ領域を支持可能であり、前記第２の支持面は、前記第２の画像読取ユニットの底面の所定方向における１／２以上の長さ領域を支持可能である。つまり、前記画像読取システムに前記第１の画像読取ユニット及び前記第２の画像読取ユニットを装着した状態において前記画像読取システムを運ぶ際、前記第１の画像読取ユニット及び前記第２の画像読取ユニットの底面の半分以上が前記接続体に支持されるので前記接続体と前記第１の画像読取ユニットとの結合部、前記接続体と前記第２の画像読取ユニットとの結合部に過剰な負荷が生じることを抑制でき、前記画像読取システムの破損を抑制できる。
【００４３】
本発明の第１５の態様の画像読取システムは、第１２から第１４のいずれか一つの態様において、前記接続体には前記第１の画像読取ユニット及び前記第２の画像読取ユニットが取り付けられた状態における前記接続体の重心位置に対応する位置に手掛け部が設けられていることを特徴とする。
【００４４】
本態様によれば、前記接続体には前記第１の画像読取ユニット及び前記第２の画像読取ユニットが取り付けられた状態における前記接続体の重心位置に対応する位置に手掛け部が設けられているので、前記接続体に前記第１の画像読取ユニット及び前記第２の画像読取ユニットが装着された状態で前記画像読取システムを運ぶ際、バランス良く、すなわち安定して当該画像読取システムを運ぶことができる。
【００４５】
本発明の第１６の態様の画像読取システムは、第１２から第１５のいずれか一つの態様において、前記接続体は、前記第２の画像読取ユニットの奥行き方向における位置を規定する位置規制部を備える。
【００４６】
本態様によれば、前記接続体に対して第２の画像読取ユニットを奥行き方向における外側から内側に移動させ接続体に装着する際に、位置規制部に突き当てた状態で接続体に結合させることができる。
【００４７】
本発明の第１７の態様の画像読取システムは、第１６の態様において、前記接続体は、前記位置規制部の奥行き方向における背面側に、ケーブルの中継部を備える。
【００４８】
本態様によれば、接続体におけるスペースを有効に活用し、画像読取システムの大型化を抑制することができる。
【図面の簡単な説明】
【００４９】
【図１】画像読取装置の外観斜視図。
【図２】画像読取装置の外観斜視図。
【図３】画像読取装置において第１の画像読取ユニットの媒体搬送経路を示す側断面図。
【図４】画像読取装置において第２の画像読取ユニットのカバーを閉じた状態を示す側面図。
【図５】画像読取装置において第２の画像読取ユニットのカバーを開いた状態を示す斜視図。
【図６】画像読取装置において第２の画像読取ユニットのカバーを開いた状態を示す側面図。
【図７】画像読取装置におけるスロープ部材の側断面図。
【図８】画像読取装置の接続体の斜視図。
【図９】接続体に第２の画像読取ユニットを接続した状態を示す斜視図。
【図１０】実施例２に係る画像読取システムの外観斜視図。
【図１１】実施例２に係る画像読取システムの外観斜視図。
【図１２】実施例２に係る画像読取システムにおいて第１の画像読取ユニットの媒体搬送経路を示す側断面図。
【図１３】実施例２に係る画像読取システムの側面図。
【図１４】実施例２に係る画像読取システムにおいて第２の画像読取ユニットのカバーを開いた状態を示す斜視図。
【図１５】実施例２に係る画像読取システムの接続体の斜視図。
【図１６】実施例２に係る接続体に第２の画像読取ユニットを接続した状態を示す斜視図。
【図１７】実施例２に係る画像読取システムの下面を示す平面図。
【図１８】実施例２に係る接続体の一対の支持部と第２の画像読取ユニットとの関係を示す断面図。
【図１９】図１８における一の支持部及び第２の画像読取ユニットの拡大断面図。
【図２０】実施例２に係る画像読取システムの組立における第１の状態を示す説明図。
【図２１】実施例２に係る画像読取システムの組立における第２の状態を示す説明図。
【図２２】実施例２に係る画像読取システムの組立における第３の状態を示す説明図。
【図２３】実施例２に係る画像読取システムの組立における第４の状態を示す説明図。
【図２４】接続体と第２の画像読取ユニットとの結合部を示す側断面図。
【図２５】実施例２に係る画像読取システムの組立における第５の状態を示す説明図。
【図２６】実施例２に係る画像読取システムの組立における第６の状態を示す説明図。
【図２７】実施例２に係る接続体と第１の画像読取ユニットとの結合部を示す側断面図。
【図２８】実施例２に係る画像読取システムの組立における第７の状態を示す説明図。
【図２９】実施例２に係る画像読取システムの組立における第８の状態を示す説明図。
【発明を実施するための形態】
【００５０】
以下、本発明の実施の形態を図面に基づいて説明する。尚、各実施例において同一の構成については、同一の符号を付し、最初の実施例においてのみ説明し、以後の実施例においてはその構成の説明を省略する。
【００５１】
（実施例１）
図１は画像読取装置の外観斜視図であり、図２は画像読取装置の外観斜視図であり、図３は画像読取装置において第１の画像読取ユニットの媒体搬送経路を示す側断面図であり、図４は画像読取装置において第２の画像読取ユニットのカバーを閉じた状態を示す側面図であり、図５は画像読取装置において第２の画像読取ユニットのカバーを開いた状態を示す斜視図である。
【００５２】
また、図６は画像読取装置において第２の画像読取ユニットのカバーを開いた状態を示す側面図であり、図７は画像読取装置におけるスロープ部材の側断面図であり、図８は画像読取装置の接続体の斜視図であり、図９は接続体に第２の画像読取ユニットを接続した状態を示す斜視図である。
【００５３】
また、各図において示すＸ−Ｙ−Ｚ座標系はＸ方向が装置幅方向であるとともに用紙幅方向、Ｙ方向が画像読取装置の奥行き方向、Ｚ方向が装置高さ方向を示している。尚、各図において−Ｙ方向を装置前面側とし、＋Ｙ方向側を装置背面側とする。また、各図において−Ｙ方向が第１画像読取ユニットにおける媒体の搬送方向である。
【００５４】
＜＜＜画像読取装置の概要＞＞＞
図１ないし図３を参照するに本実施例における画像読取装置１０が示されている。画像読取装置１０は、第１の画像読取ユニット１２と、第２の画像読取ユニット１４と、接続体１６とを備えている。本実施例において、接続体１６の上部には第１の画像読取ユニット１２が着脱可能に接続されており、接続体１６の前部には第２の画像読取ユニット１４が着脱可能に接続されている。尚、接続体１６への第１の画像読取ユニット１２及び第２の画像読取ユニット１４の着脱については後述する。
【００５５】
本実施例において第１の画像読取ユニット１２はシートフィードスキャナーとして構成され、第２の画像読取ユニット１４はフラットベッドスキャナーとして構成されている。まず、第１の画像読取ユニット１２の概要について説明する。
【００５６】
＜＜＜第１の画像読取ユニットについて＞＞＞
第１の画像読取ユニット１２の背面側の上部には媒体支持部１８が設けられている。媒体支持部１８は、第１の画像読取ユニット１２に対して回動可能に取り付けられている。媒体支持部１８は、図１に示すように第１の画像読取ユニット１２の上部及び給送口２０（図２参照）を覆う非給送状態と、図２に示すように非給送状態から第１の画像読取ユニット１２の背面側に回動させて給送口２０を開放し、媒体支持面１８ａに媒体Ｐを支持させる給送状態とを取り得る。
【００５７】
ここで図３を参照して媒体Ｐの搬送経路について説明すると、媒体支持面１８ａから搬送方向に沿って、給送ローラー対２２、搬送ローラー対２４、画像読取部２６、「排出手段」としての排出ローラー対２８及び排出口３０が順番に設けられている。図３における符号Ｐが付された二点鎖線は媒体Ｐの搬送経路を示しており、媒体支持面１８ａに支持された媒体Ｐは給送ローラー対２２にニップされて、搬送ローラー対２４に向けて給送される。そして、搬送ローラー対２４は、媒体Ｐをニップして画像読取部２６へ搬送する。
【００５８】
本実施例において画像読取部２６は、画像読取センサー２６Ａ、２６Ｂを備えている。本実施例において画像読取センサー２６Ａは媒体Ｐの一方の面（装置高さ方向下方側の面）と対向して前記一方の面を読み取り可能に配置され、画像読取センサー２６Ｂは媒体Ｐの他方の面（装置高さ方向上方側の面）と対向して前記他方の面を読み取り可能に配置されている。そして、画像読取部２６は、画像読取センサー２６Ａ、２６Ｂにより媒体Ｐの両面の読み取りが可能に構成されている。画像読取部２６において画像を読み取られた媒体Ｐは、排出ローラー対２８にニップされて、第１の画像読取ユニット１２の前面に設けられた排出口３０から第１の画像読取ユニット１２の前方に位置する、第２の画像読取ユニット１４の後述する「開閉体」としてのカバー部３２の媒体載置部３２ａに向けて排出される。
【００５９】
＜＜＜第２の画像読取ユニットについて＞＞＞
次いで、第２の画像読取ユニット１４の概要について説明する。第２の画像読取ユニット１４は、フラットベッドスキャナーとして構成されている。第２の画像読取ユニット１４は、筐体３４と、当該筐体３４に対して回動可能に取り付けられたカバー部３２を備えている。筐体３４の上部には矩形の媒体読取面３４ａ（図３及び図５参照）が設けられている。本実施例において媒体読取面３４ａは平坦かつ透明なガラス板により構成されており、その上面に画像を読み取る媒体Ｐを載置可能である。
【００６０】
また、筐体３４内には、図示しないが画像読取手段が設けられている。本実施例において、この画像読取手段は媒体読取面３４ａの下側で媒体読取面３４ａの長手方向あるいは短手方向に移動することにより、媒体読取面３４ａに載置された媒体Ｐの媒体読取面３４ａと対向する面を読み取ることができるように構成されている。
【００６１】
また、筐体３４において装置前面側（図１及び図２における−Ｙ軸方向側）には操作部３６が設けられている。操作部３６には、第２の画像読取ユニット１４を操作するための電源スイッチや設定切換ボタン等を備えて構成されている。
【００６２】
更に図４ないし図７を参照して、カバー部３２について説明する。本実施例においてカバー部３２は、媒体読取面３４ａを覆って閉じた姿勢と、媒体読取面３４ａを露出させる開いた姿勢とを切換可能に筐体３４に取り付けられている。具体的には、カバー部３２は、筐体３４に対して回動可能に構成されている。また、本実施例においてカバー部３２は、第１部材３８と第２部材４０とを備えている。
【００６３】
本実施例において第１部材３８の装置奥行き方向背面側の端部には回動軸３９（図３参照）が設けられている。第１部材３８は回動軸３９を支点として筐体３４に対して回動可能に筐体３４の装置奥行き方向背面側の端部に取り付けられている。また、第２部材４０は、第１部材３８の装置奥行き方向前面側の端部に第１部材３８に対して回動可能に連結されている。尚、本実施例において、回動軸３９は筐体３４に対して装置高さ方向に変位可能に構成されている。したがって、カバー部３２は、媒体読取面３４ａを覆った閉じた姿勢を維持したまま、媒体読取面３４ａから装置高さ方向上方に離間可能である。すなわち、媒体読取面３４ａに比較的厚みのある媒体Ｐを載置した状態においてもカバー部３２が媒体Ｐを押さえられるように構成されている。
【００６４】
第１部材３８及び第２部材４０の下面、すなわち媒体読取面３４ａと対向する面には、媒体押さえ部材４１がそれぞれ設けられている。媒体押さえ部材４１は例えばスポンジのような弾性体により構成されている。
【００６５】
媒体押さえ部材４１は、カバー部３２が筐体３４に対して閉じた姿勢（図３参照）となった際、筐体３４に設けられた媒体読取面３４ａに載置された媒体Ｐを当該媒体Ｐの被読取面と反対側から一様に押圧する。これにより、媒体押さえ部材４１により押圧された媒体の被読取面が媒体読取面３４ａに密着する。つまり、媒体押さえ部材４１は、媒体読取面３４ａから媒体Ｐが浮き上がることを防止できる。尚、媒体押さえ部材４１の大きさは、媒体読取面３４ａに載置される媒体Ｐにおいて媒体読取面３４ａと反対側の面の全領域を押さえられるように媒体読取面３４ａの大きさと略同じ大きさに設定されている。
【００６６】
また、第２部材４０の上面は、第１の画像読取ユニット１２から排出される媒体Ｐを載置する媒体載置部３２ａとして構成されている。また、第２部材４０の上面において、装置奥行き方向前面側の端部の少なくとも一部には上面すなわち媒体載置部３２ａから上方に突出する第１リブ４２が形成されている。本実施例において第１リブ４２は第２部材４０の上面において装置幅方向に延びている。したがって、第１リブ４２は排出口３０から媒体載置部３２ａに向けて排出されてきた媒体Ｐの排出方向への移動を規制し、媒体Ｐを媒体載置部３２ａに確実に載置することができる。
【００６７】
また、第２部材４０の上面において、装置幅方向における少なくとも一方の端部の少なくとも一部には上面すなわち媒体載置部３２ａから上方に突出する第２リブ４４が形成されている。本実施例において第２リブ４４は、媒体載置部３２ａの装置幅方向の両端部に形成され、装置奥行き方向に延びている。つまり、本実施例において、第２部材４０の上面に設けられた媒体載置部３２ａには排出口３０側の端部を除く残りの３つの端部に第１リブ４２及び第２リブ４４が形成されている。つまり、媒体載置部３２ａは排出口３０側の端部を除いて第１リブ４２及び第２リブ４４により囲まれている。したがって、第１リブ４２及び第２リブ４４は排出口３０から媒体載置部３２ａに向けて排出されてきた媒体Ｐが媒体載置部３２ａから落下することを抑制し、媒体Ｐを確実に媒体載置部３２ａに載置することができる。
【００６８】
また、第１部材３８の上面には、スロープ部材４６が取り付けられている。本実施例においてスロープ部材４６は、第１の画像読取ユニット１２の排出口３０から排出される媒体Ｐを第２の画像読取ユニット１４の媒体載置部３２ａへ案内するガイド部材として機能する。スロープ部材４６は、ガイド部４６ａと、係合部４８、４８とを備えている。ガイド部４６ａは装置幅方向に延設されている。装置幅方向においてガイド部４６ａの両端部には係合部４８、４８が設けられている。係合部４８、４８は、装置幅方向において第１の画像読取ユニット１２の排出口３０から排出される媒体Ｐの通過する領域から外れた位置に設けられている。また、係合部４８の先端には接触部５０が設けられている。本実施例において接触部５０は、回転自在なローラー部材として構成されている。
【００６９】
また、本実施例においてスロープ部材４６の装置奥行き方向前面側には、回動軸４６ｂ（図３参照）が設けられている。スロープ部材４６は、回動軸４６ｂを支点に第１部材３８に対して回動可能に取り付けられている。本実施例において、スロープ部材４６は、当該スロープ部材４６を図３及び図７における反時計回り方向に回動させることにより、第１の画像読取ユニット１２の排出口３０から排出される媒体Ｐを第２の画像読取ユニット１４の媒体載置部３２ａへ案内するガイド姿勢（図３及び図７参照）から第１の画像読取ユニット１２から排出される媒体Ｐの搬送経路から退避した姿勢（図６）へ切換可能である。
【００７０】
また、スロープ部材４６のガイド部４６ａの下面には、図７に示す様に付勢手段５２の一端部が取り付けられ、第１部材３８の上面には付勢手段５２の他端部が取り付けられている。本実施例において付勢手段５２は引っ張りばねとして構成されている。また、第１部材３８の上面にはスロープ部材４６の少なくとも一部と当接してスロープ部材４６の姿勢を規定する規定部５４が設けられている。
【００７１】
図７に示すように、スロープ部材４６は付勢手段５２の付勢力により第１部材３８側に付勢されると、スロープ部材４６の少なくとも一部が規定部５４と当接した状態となる。この状態が、スロープ部材４６のガイド姿勢である。この状態では、第１の画像読取ユニット１２の排出口３０から排出される媒体Ｐの先端は、ガイド部４６ａと接触し、ガイド部４６ａにより第２の画像読取ユニット１４の媒体載置部３２ａへ案内される。そして、媒体Ｐは媒体載置部３２ａに載置される。
【００７２】
また、この状態において係合部４８の接触部５０は、第１の画像読取ユニット１２の前面１２ａと接触しており、その接触位置は第１の画像読取ユニット１２の前面１２ａにおいて下方側に位置している。
【００７３】
＜＜＜スロープ部材の姿勢変化について＞＞＞
スロープ部材４６は、図３、図４及び図７に示すようにカバー部３２が筐体３４に対して閉じた姿勢にある際、付勢手段５２の付勢力により規定部５４に当接し、媒体Ｐのガイド姿勢を取っている。ここで、カバー部３２の第２部材４０の装置奥行き方向前面側の端部を筐体３４から持ち上げると、第２部材４０は第１部材３８に対して図６における時計回り方向に回動する。そして、第２部材４０が第１部材３８に対して所定の角度を取ると、第１部材３８も第２部材４０とともに図５及び図６における時計回り方向に回動する。
【００７４】
第１部材３８が図６における時計回り方向への回動を始めると、スロープ部材４６は付勢手段５２の付勢力に抗して規定部５４から離間し、回動軸４６ｂを支点として図６及び図７における反時計回り方向に回動を開始する。この際、係合部４８の接触部５０は、ローラー部材として構成されているので第１の画像読取ユニット１２の前面１２ａに対して回転しながら前面１２ａの下方側から上方側に変位する。これにより、スロープ部材４６のガイド部４６ａは、媒体Ｐをガイドする姿勢から媒体Ｐの搬送経路から退避した姿勢、すなわち非ガイド姿勢へと切り換わる。
【００７５】
ここで、スロープ部材４６はカバー部３２を筐体３４に対して閉じた姿勢から開いた姿勢に変化させる際、第１の画像読取ユニット１２の前面１２ａに対してガイド姿勢から非ガイド姿勢へと切り換わることから、スロープ部材４６が第１の画像読取ユニット１２と干渉して第１部材３８の図６における時計回り方向への回動を妨げることを抑制できる。
【００７６】
これにより、第１部材３８は筐体３４の媒体読取面３４ａに対して角度αで開くことが可能である。また、第２部材４０は第１部材３８に対して所定の角度まで回動可能であるので、第２部材４０は筐体３４の媒体読取面３４ａに対して第１部材３８の開き角度αよりも大きい角度βで開くことが可能である。ここで、図６に示すように媒体読取面３４ａに対して装置前面側の開き角度βの方が装置背面側の開き角度αよりも大きくなる構成であるので、媒体読取面３４ａにおける媒体Ｐの交換や配置作業が容易となる。
【００７７】
また、スロープ部材４６を第１の画像読取ユニット１２と干渉しないように、ガイド姿勢と非ガイド姿勢とを切り換える構成としたこと及び第２部材４０を第１部材３８に対して回動可能に構成し、媒体読取面３４ａに対する開き角度を装置前面側で大きくできるように構成したことにより、第１部材３８の回動軸３９を装置奥行き方向において第１の画像読取ユニット１２の前方側ではなく、第１の画像読取ユニット１２と重なる領域に設けても、カバー部３２を良好に開くことができる。すなわち、装置奥行き方向において第１の画像読取ユニット１２の少なくとも一部と第２の画像読取ユニット１４の少なくとも一部とを重なるように配置することができる。
【００７８】
＜＜＜第１の画像読取ユニットと第２の画像読取ユニットの位置関係について＞＞＞
ここで、再度図３を参照して、第１の画像読取ユニット１２と第２の画像読取ユニット１４との装置奥行き方向における位置関係について説明する。図３において符号Ｙ１が付された二点鎖線は、第２の画像読取ユニット１４の媒体読取面３４ａの装置奥行き方向（図３におけるＹ軸方向）背面側の端部の位置を示している。また、符号Ｙ２が付された二点鎖線は、第２の画像読取ユニット１４のカバー部３２の装置奥行き方向背面側の端部の位置を示している。
【００７９】
装置奥行き方向における二点鎖線Ｙ１の位置では、媒体読取面３４ａの少なくとも一部は装置高さ方向において第１の画像読取ユニット１２の少なくとも一部と重なっている。より具体的には、媒体読取面３４ａの少なくとも一部は、第１の画像読取ユニット１２において非給送状態にある媒体支持部１８と重なっている。また、媒体読取面３４ａの少なくとも一部、より具体的には装置奥行き方向背面側の端部は、媒体Ｐの排出方向において第１の画像読取ユニット１２における排出ローラー対２８と排出口３０との間に位置している。
【００８０】
また、装置奥行き方向における二点鎖線Ｙ２の位置では、カバー部３２の少なくとも一部は装置高さ方向において第１の画像読取ユニット１２の少なくとも一部と重なっている。より具体的には、カバー部３２の少なくとも一部は装置高さ方向において排出ローラー対２８と重なっている。さらに、カバー部３２の少なくとも一部は装置高さ方向において画像読取部２６の少なくとも一部と重なっている。
【００８１】
上記説明をまとめると、本実施例における媒体読取面３４ａ（第２の画像読取ユニット１４を構成する）の少なくとも一部は装置高さ方向において第１の画像読取ユニット１２の少なくとも一部と重なっているので、装置高さ方向と交差する方向、具体的には本実施例における装置奥行き方向において第１の画像読取ユニット１２の領域に第２の画像読取ユニット１４が入り込んでいる状態となり、装置高さ方向と交差する方向である装置奥行き方向における装置サイズを小さくすることができる。
【００８２】
尚、「第１の画像読取ユニット１２の領域に第２の画像読取ユニット１４が入り込んでいる状態」には、第１の画像読取ユニット１２それ自体に第２の画像読取ユニット１４が入り込んでいる場合もあり得る。また、第１の画像読取ユニット１２それ自体に第２の画像読取ユニット１４が入り込んでいないが、所定方向（例えば上方向）から装置を見たときに、第１の画像読取ユニット１２に第２の画像読取ユニット１４の一部が隠れている場合、第２の画像読取ユニット１４に第１の画像読取ユニット１２の一部が隠れている場合、のいずれであっても良い（以下同様）。
【００８３】
また、本実施例におけるカバー部３２（第２の画像読取ユニット１４を構成する）の少なくとも一部は装置高さ方向において第１の画像読取ユニット１２の少なくとも一部と重なっているので、装置高さ方向と交差する方向、具体的には本実施例における装置奥行き方向において第１の画像読取ユニット１２の領域に第２の画像読取ユニット１４が入り込んでいる状態となり、装置高さ方向と交差する方向である装置奥行き方向における装置サイズを小さくすることができる。
【００８４】
また、本実施例における媒体読取面３４ａ（第２の画像読取ユニット１４を構成する）の少なくとも一部は、装置高さ方向において閉じた姿勢における媒体支持部１８（第１の画像読取ユニット１２を構成する）の少なくとも一部と重なっているので、装置高さ方向と交差する方向、具体的には本実施例における装置奥行き方向において第１の画像読取ユニット１２の領域に第２の画像読取ユニット１４が入り込んでいる状態となり、装置高さ方向と交差する方向である装置奥行き方向における装置サイズを小さくすることができる。
【００８５】
また、本実施例におけるカバー部３２（第２の画像読取ユニット１４を構成する）の少なくとも一部は、装置高さ方向において排出ローラー対２８（第１の画像読取ユニット１２を構成する）の少なくとも一部と重なっているので、装置高さ方向と交差する方向、具体的には本実施例における装置奥行き方向において第１の画像読取ユニット１２の領域に第２の画像読取ユニット１４が入り込んでいる状態となり、装置高さ方向と交差する方向である装置奥行き方向における装置サイズを小さくすることができる。
【００８６】
また、本実施例におけるカバー部３２（第２の画像読取ユニット１４を構成する）の少なくとも一部は、装置高さ方向において第１の画像読取ユニット１２に設けられた画像読取部２６の少なくとも一部と重なっているので、装置高さ方向と交差する方向、具体的には本実施例における装置奥行き方向において第１の画像読取ユニット１２の領域に第２の画像読取ユニット１４が入り込んでいる状態となり、装置高さ方向と交差する方向である装置奥行き方向における装置サイズを小さくすることができる。
【００８７】
また、本実施例における媒体読取面３４ａ（第２の画像読取ユニット１４を構成する）の少なくとも一部は、第１の画像読取ユニット１２における媒体の排出方向において排出ローラー対２８と排出口３０との間に位置しているので、媒体の排出方向において第１の画像読取ユニット１２の領域に第２の画像読取ユニット１４が入り込んでいる状態となり、排出方向における装置サイズを小さくすることができる。
【００８８】
また、本実施例におけるスロープ部材４６はカバー部３２の第２の画像読取ユニット１４に対する開閉動作に応じて第１の画像読取ユニット１２に対する姿勢を切換可能であるのでスロープ部材４６が第１の画像読取ユニット１２と干渉してカバー部３２の開閉動作を阻害することを抑制できる。
【００８９】
また、本実施例におけるカバー部３２は第２の画像読取ユニット１４に回動可能に取り付けられるとともにスロープ部材４６が設けられた第１部材３８と、当該第１部材３８に対して回動可能に連結された第２部材４０とを備えているので、カバー部３２を第２の画像読取ユニット１４に対して回動させて開いた際、第２部材４０は、第２の画像読取ユニット１４に対して開いた状態の第１部材３８に対して更に回動方向に回動させることができる。その結果、第２の画像読取ユニット１４に対してカバー部３２を開いた状態とした際の媒体読取面３４ａと第２部材４０とが成す開き角度βを大きくすることができ、媒体読取面３４ａにおける媒体の交換や配置動作を容易にし、第２の画像読取ユニット１４の作業性を向上させることができる。
【００９０】
また、本実施例におけるスロープ部材４６は第１の画像読取ユニット１２と接触し、接触した状態で第１の画像読取ユニット１２に対して変位可能な接触部５０を有しているので、カバー部３２を第２の画像読取ユニット１４に対して開閉させる際、スロープ部材４６が第１の画像読取ユニット１２と干渉してカバー部３２の開閉動作を阻害することを抑制できる。
【００９１】
また、本実施例におけるスロープ部材４６は第１の画像読取ユニット１２において媒体の排出方向と交差する方向すなわち装置幅方向に延設されており、接触部５０は装置幅方向において媒体の通過する領域から外れた位置に設けられているので、スロープ部材４６がガイド姿勢にある際、接触部５０は第１の画像読取ユニット１２から排出される媒体と接触する虞を低減できる。したがって、スロープ部材４６は第１の画像読取ユニット１２から排出された媒体を媒体載置部３２ａに良好にガイドすることができる。
【００９２】
また、本実施例における接触部５０はローラー部材で構成されているので、接触部５０と第１の画像読取ユニット１２の前面１２ａとの間に生じる摩擦力を低減でき、接触部５０の第１の画像読取ユニット１２に対する変位を容易にできるとともに、接触部５０が第１の画像読取ユニット１２に傷を付与することを回避でき、或いは傷の程度を抑制できる。
【００９３】
また、本実施例におけるカバー部３２の上部には媒体の排出方向下流側の端部の少なくとも一部に第１リブ４２が設けられているので、媒体が媒体載置部３２ａに排出された際、第１リブ４２が媒体の排出方向先端側の端部と接触して、媒体の前記排出方向への変位を規制し、媒体が排出方向すなわち装置奥行き方向において媒体載置部３２ａから落下することを抑制できる。
【００９４】
また、本実施例におけるカバー部３２の上部には装置幅方向における少なくとも一方の端部に第２リブ４４が設けられているので、媒体がカバー部３２の媒体載置部３２ａに排出された際、媒体が媒体載置部３２ａから落下することを抑制できる。
【００９５】
＜＜＜画像読取装置の組立について＞＞＞
次いで、図１、図８及び図９を参照して、画像読取装置１０の組立について説明する。図８に示すように接続体１６は、第１の画像読取ユニット１２を取り付けるための第１取付部１６ａと、第２の画像読取ユニット１４を取り付けるための第２取付部１６ｂとを備えている。接続体１６は、装置奥行き方向において背面側が前面側に対して装置高さ方向上方に隆起している。この隆起した部分に第１取付部１６ａが設けられている。また、接続体１６の前面側には、第２取付部１６ｂが設けられている。第２取付部１６ｂは、本実施例において前面側に延び、かつ装置幅方向に間隔をおいた一対のアームとして構成されている。
【００９６】
一対のアーム状の第２取付部１６ｂ、１６ｂの間に図９の第２の画像読取ユニット１４を配置する。そして、図示しないねじ等の締結部材により第２の画像読取ユニット１４を接続体１６に対して固定する。そして、接続体１６から第２の画像読取ユニット１４への電力供給及びデータ通信等の配線作業を行うことにより、第２の画像読取ユニット１４の接続体１６への取り付け作業が完了する。
【００９７】
次に、第１取付部１６ａに第１の画像読取ユニット１２を取り付ける。ここで、第１取付部１６ａには、フック状の掛止部５６、５６が設けられている。また、第１の画像読取ユニット１２の底面には、図示しないが掛止部５６、５６を受け入れて係合するための係合部が設けられている。第１の画像読取ユニット１２を第１取付部１６ａに位置させて、掛止部５６を係合部（不図示）と係合させた後、不図示のねじ等の締結部材により第１の画像読取ユニット１２を接続体１６に対して固定する（図１参照）。
【００９８】
そして、接続体１６から第１の画像読取ユニット１２への電力供給及びデータ通信等の配線作業を行うことにより、第１の画像読取ユニット１２の接続体１６への取り付け作業が完了する。
【００９９】
尚、本実施例では、装置奥行き方向において第１の画像読取ユニット１２の少なくとも一部と第２の画像読取ユニット１４の少なくとも一部が接続体１６に接続された状態で装置奥行き方向において重なる、すなわち、装置高さ方向において第２の画像読取ユニット１４の少なくとも一部は第１の画像読取ユニット１２の下方に位置することとなるため、接続体１６には第２の画像読取ユニット１４、第１の画像読取ユニット１２の順に接続される。
【０１００】
＜＜＜実施例１の変更例＞＞＞
（１）本実施例において媒体載置部３２ａに第１リブ４２及び第２リブ４４を設ける構成としたが、この構成に代えて、媒体載置部３２ａに第１リブ４２のみを設ける構成としてもよい。
（２）本実施例において画像読取部２６には画像読取センサー２６Ａ、２６Ｂを設ける構成としたが、この構成に代えて、画像読取部２６に画像読取センサー２６Ａ、２６Ｂのいずれか一方のみを設ける構成としてもよい。
（３）本実施例において回動軸３９は第１部材３８側に設ける構成としたが、この構成に代えて、回動軸３９を筐体３４側に設ける構成としてもよい。
（４）本実施例において接触部５０はローラー部材として構成したが、この構成に代えて、接触部５０を樹脂材料等により構成して、第１の画像読取ユニット１２に対して摺動する構成としてもよい。この構成においても、第１の画像読取ユニット１２に傷を付与することを回避でき、或いは傷の程度を抑制できる。
【０１０１】
上記説明をまとめると、本実施例における画像読取装置１０は、搬送経路に沿って搬送される媒体の面を読み取り可能な第１の画像読取ユニット１２と、媒体を媒体読取面３４ａに載置して媒体の面を読み取り可能な第２の画像読取ユニット１４と、媒体読取面３４ａに対して閉じた姿勢と開いた姿勢とを切換可能に設けられたカバー部３２とを備えている。媒体読取面３４ａの少なくとも一部は装置高さ方向において第１の画像読取ユニット１２の少なくとも一部と重なっている。
【０１０２】
また、画像読取装置１０は、搬送経路に沿って搬送される媒体の面を読み取り可能な第１の画像読取ユニット１２と、媒体を媒体読取面３４ａに載置して媒体の面を読み取り可能な第２の画像読取ユニット１４と、媒体読取面３４ａに対して閉じた姿勢と開いた姿勢とを切換可能に設けられたカバー部３２とを備えている。カバー部３２の少なくとも一部は装置高さ方向において第１の画像読取ユニット１２の少なくとも一部と重なっている。
【０１０３】
また、画像読取装置１０は、第１の画像読取ユニット１２に対して閉じた姿勢と、該閉じた姿勢から第１の画像読取ユニット１２に対して回動して媒体を搬送経路に搬送可能な姿勢で支持する、第１の画像読取ユニット１２に対して開いた姿勢とを切換可能な媒体支持部１８を備えている。媒体読取面３４ａの少なくとも一部は、装置高さ方向において閉じた姿勢における媒体支持部１８の少なくとも一部と重なっている。
【０１０４】
また、画像読取装置１０は、第１の画像読取ユニット１２において搬送経路に沿って搬送された媒体を排出する排出ローラー対２８を備えている。カバー部３２の少なくとも一部は、装置高さ方向において排出ローラー対２８の少なくとも一部と重なっている。
【０１０５】
また、画像読取装置１０は、第１の画像読取ユニット１２において搬送経路に沿って搬送された媒体の少なくとも一方の面を読み取る画像読取部２６を備えている。カバー部３２の少なくとも一部は、装置高さ方向において画像読取部２６の少なくとも一部と重なっている。
【０１０６】
また、画像読取装置１０は、第１の画像読取ユニット１２において搬送経路に沿って搬送された媒体を排出する排出ローラー対２８と、搬送経路において排出ローラー対２８に対して搬送方向下流側に設けられた排出口３０とを備えている。媒体読取面３４ａの少なくとも一部は、第１の画像読取ユニット１２における媒体の排出方向において排出ローラー対２８と排出口３０との間に位置している。
【０１０７】
また、画像読取装置１０は、カバー部３２の上部は第１の画像読取ユニット１２から排出される媒体を載置する媒体載置部３２ａとして形成され、カバー部３２には当該カバー部３２に対して変位可能なスロープ部材４６が設けられている。スロープ部材４６は、カバー部３２が第２の画像読取ユニット１４に対して閉じた姿勢にある場合、第１の画像読取ユニット１２から排出される媒体を媒体載置部３２ａへ案内するガイド姿勢を取り、カバー部３２が第２の画像読取ユニット１４に対して閉じた姿勢から開いた姿勢に切り換えられた場合、カバー部３２に対して変位し搬送経路から退避する非ガイド姿勢を取る。
【０１０８】
また、画像読取装置１０において、カバー部３２は第２の画像読取ユニット１４に回動可能に取り付けられるとともにスロープ部材４６が設けられた第１部材３８と、当該第１部材３８に対して回動可能に連結された第２部材４０とを備えている。
【０１０９】
また、画像読取装置１０において、スロープ部材４６は第１の画像読取ユニット１２と接触し、接触した状態で第１の画像読取ユニット１２に対して変位可能な接触部５０を有している。
【０１１０】
また、画像読取装置１０において、スロープ部材４６は第１の画像読取ユニット１２における媒体の排出方向と交差する方向すなわち装置幅方向に延設されており、接触部５０は装置幅方向において媒体の通過する領域から外れた位置に設けられている。
【０１１１】
また、画像読取装置１０において、接触部５０は第１の画像読取ユニット１２と接触した状態で回転可能なローラー部材で構成されている。
【０１１２】
また、画像読取装置１０において、カバー部３２には、第１の画像読取ユニット１２における媒体の排出方向下流側端部の少なくとも一部に、カバー部３２の上部から上方に突出し、装置幅方向に延びる第１リブ４２が設けられている。
【０１１３】
また、画像読取装置１０において、カバー部３２には、装置幅方向における少なくとも一方の端部の少なくとも一部に、カバー部３２の上部から上方に突出し、装置奥行き方向に延びる第２リブ４４が設けられている。
【０１１４】
尚、本発明は上記実施例に限定されることなく、特許請求の範囲に記載した発明の範囲内で、種々の変形が可能であり、それらも本発明の範囲内に含まれるものであることは言うまでもない。
【０１１５】
（実施例２）
図１０は実施例２に係る画像読取システムの外観斜視図であり、図１１は実施例２に係る画像読取システムの外観斜視図であり、図１２は実施例２に係る画像読取システムにおいて第１の画像読取ユニットの媒体搬送経路を示す側断面図であり、図１３は実施例２に係る画像読取システムの側面図であり、図１４は実施例２に係る画像読取システムにおいて第２の画像読取ユニットのカバーを開いた状態を示す斜視図であり、図１５は実施例２に係る画像読取システムの接続体の斜視図である。
【０１１６】
また、図１６は接続体に第２の画像読取ユニットを接続した状態を示す斜視図であり、図１７は実施例２に係る画像読取システムの下面を示す平面図であり、図１８は接続体の一対の支持部と第２の画像読取ユニットとの関係を示す断面図であり、図１９は図１８における一の支持部及び第２の画像読取ユニットの拡大断面図であり、図２０は実施例２に係る画像読取システムの組立における第１の状態を示す説明図であり、図２１は実施例２に係る画像読取システムの組立における第２の状態を示す説明図であり、図２２は実施例２に係る画像読取システムの組立における第３の状態を示す説明図である。
【０１１７】
また、図２３は実施例２に係る画像読取システムの組立における第４の状態を示す説明図であり、図２４は接続体と第２の画像読取ユニットとの結合部を示す側断面図であり、図２５は実施例２に係る画像読取システムの組立における第５の状態を示す説明図であり、図２６は実施例２に係る画像読取システムの組立における第６の状態を示す説明図であり、図２７は接続体と第１の画像読取ユニットとの結合部を示す側断面図であり、図２８は実施例２に係る画像読取システムの組立における第７の状態を示す説明図であり、図２９は実施例２に係る画像読取システムの組立における第８の状態を示す説明図である。
【０１１８】
また、各図において示すＸ−Ｙ−Ｚ座標系はＸ方向が画像読取システムの幅方向であるとともに用紙幅方向、Ｙ方向が画像読取システムの奥行き方向、Ｚ方向が画像読取システムの高さ方向を示している。尚、各図において−Ｙ方向を画像読取システムの前面側とし、＋Ｙ方向側を画像読取システムの背面側とする。また、各図において−Ｙ方向が第１画像読取ユニットにおける媒体の搬送方向である。
【０１１９】
＜＜＜画像読取システムの概要＞＞＞
図１０ないし図１４を参照するに本実施例における画像読取システム１１０が示されている。画像読取システム１１０は、第１の画像読取ユニット１１２と、第２の画像読取ユニット１１４と、接続体１１６とを備えている。本実施例において、接続体１１６の上部には第１の画像読取ユニット１１２が着脱可能に接続されており、接続体１１６の前部には第２の画像読取ユニット１１４が着脱可能に接続されている。尚、接続体１１６への第１の画像読取ユニット１１２及び第２の画像読取ユニット１１４の着脱については後述する。
【０１２０】
本実施例において第１の画像読取ユニット１１２はシートフィードスキャナーとして構成され、第２の画像読取ユニット１１４はフラットベッドスキャナーとして構成されている。まず、第１の画像読取ユニット１１２の概要について説明する。
【０１２１】
＜＜＜第１の画像読取ユニットについて＞＞＞
第１の画像読取ユニット１１２の背面側の上部には媒体支持部１１８が設けられている。媒体支持部１１８は、第１の画像読取ユニット１１２に対して回動可能に取り付けられている。媒体支持部１１８は、図１０に示すように第１の画像読取ユニット１１２の上部及び給送口１２０（図１１参照）を覆う非給送状態と、図１１に示すように非給送状態から第１の画像読取ユニット１１２の背面側に回動させて給送口１２０を開放し、媒体支持面１１８ａに媒体Ｐを支持させる給送状態とを取り得る。
【０１２２】
ここで図１２を参照して媒体Ｐの搬送経路について説明すると、媒体支持面１１８ａから搬送方向に沿って、給送ローラー対１２２、搬送ローラー対１２４、画像読取部１２６、排出ローラー対１２８及び排出口１３０が順番に設けられている。図１２における符号Ｐが付された二点鎖線は媒体Ｐの搬送経路を示しており、媒体支持面１１８ａに支持された媒体Ｐは給送ローラー対１２２にニップされて、搬送ローラー対１２４に向けて給送される。そして、搬送ローラー対１２４は、媒体Ｐをニップして画像読取部１２６へ搬送する。
【０１２３】
本実施例において画像読取部１２６は、画像読取センサー１２６Ａ、１２６Ｂを備えている。本実施例において画像読取センサー１２６Ａは媒体Ｐの一方の面（高さ方向下方側の面）と対向して前記一方の面を読み取り可能に配置され、画像読取センサー１２６Ｂは媒体Ｐの他方の面（高さ方向上方側の面）と対向して前記他方の面を読み取り可能に配置されている。そして、画像読取部１２６は、画像読取センサー１２６Ａ、１２６Ｂにより媒体Ｐの両面の読み取りが可能に構成されている。画像読取部１２６において画像を読み取られた媒体Ｐは、排出ローラー対１２８にニップされて、第１の画像読取ユニット１１２の前面に設けられた排出口１３０から第１の画像読取ユニット１１２の前方に位置する、第２の画像読取ユニット１１４のカバー部１３２の媒体載置部１３２ａに向けて排出される。
【０１２４】
＜＜＜第２の画像読取ユニットについて＞＞＞
次いで、第２の画像読取ユニット１１４の概要について説明する。第２の画像読取ユニット１１４は、フラットベッドスキャナーとして構成されている。第２の画像読取ユニット１１４は、筐体１３４と、当該筐体１３４に対して回動可能に取り付けられたカバー部１３２を備えている。筐体１３４の上部には矩形の媒体読取面１３４ａ（図１２及び図１４参照）が設けられている。本実施例において媒体読取面１３４ａは平坦かつ透明なガラス板により構成されており、その上面に画像を読み取る媒体Ｐを載置可能である。
【０１２５】
また、筐体１３４内には、図示しないが画像読取手段が設けられている。本実施例において、この画像読取手段は媒体読取面１３４ａの下側で媒体読取面１３４ａの長手方向あるいは短手方向に移動することにより、媒体読取面１３４ａに載置された媒体Ｐの媒体読取面１３４ａと対向する面を読み取ることができるように構成されている。
【０１２６】
また、筐体１３４において前面側（図１０及び図１１における−Ｙ軸方向側）には操作部１３６が設けられている。操作部１３６には、第２の画像読取ユニット１１４を操作するための電源スイッチや設定切換ボタン等を備えて構成されている。
【０１２７】
図１１及び図１４を参照するに、本実施例においてカバー部１３２は、媒体読取面１３４ａを覆って閉じた姿勢（図１１参照）と、媒体読取面１３４ａを露出させる開いた姿勢（図１４参照）とを切換可能に筐体１３４に取り付けられている。具体的には、カバー部１３２は、筐体１３４に対して回動可能に構成されている。また、本実施例においてカバー部１３２は、第１部材１３８と第２部材１４０とを備えている。
【０１２８】
本実施例において第１部材１３８の奥行き方向背面側の端部には回動軸１３９（図１２及び図２１参照）が設けられている。第１部材１３８は回動軸１３９を支点として筐体１３４に対して回動可能に筐体１３４の奥行き方向背面側の端部に取り付けられている。また、第２部材１４０は、第１部材１３８の奥行き方向前面側の端部に第１部材１３８に対して回動可能に連結されている。尚、本実施例において、回動軸１３９は筐体１３４に対して高さ方向に変位可能に構成されている。したがって、カバー部１３２は、媒体読取面１３４ａを覆った閉じた姿勢を維持したまま、媒体読取面１３４ａから高さ方向上方に離間可能である。すなわち、媒体読取面１３４ａに比較的厚みのある媒体Ｐを載置した状態においてもカバー部１３２が媒体Ｐを押さえられるように構成されている。
【０１２９】
第１部材１３８及び第２部材１４０の下面、すなわち媒体読取面１３４ａと対向する面には、媒体押さえ部材１４１がそれぞれ設けられている。媒体押さえ部材１４１は例えばスポンジのような弾性体により構成されている。
【０１３０】
媒体押さえ部材１４１は、カバー部１３２が筐体１３４に対して閉じた姿勢（図１２参照）となった際、筐体１３４に設けられた媒体読取面１３４ａに載置された媒体Ｐを当該媒体Ｐの被読取面と反対側から一様に押圧する。これにより、媒体押さえ部材１４１により押圧された媒体の被読取面が媒体読取面１３４ａに密着する。つまり、媒体押さえ部材１４１は、媒体読取面１３４ａから媒体Ｐが浮き上がることを防止できる。尚、媒体押さえ部材１４１の大きさは、媒体読取面１３４ａに載置される媒体Ｐにおいて媒体読取面１３４ａと反対側の面の全領域を押さえられるように媒体読取面１３４ａの大きさと略同じ大きさに設定されている。
【０１３１】
また、第２部材１４０の上面は、第１の画像読取ユニット１１２から排出される媒体Ｐを載置する媒体載置部１３２ａとして構成されている。
【０１３２】
また、第１部材１３８の上面には、第１部材１３８に対して回動可能にスロープ部材１４２が取り付けられている。本実施例においてスロープ部材１４２は、第１の画像読取ユニット１１２の排出口１３０から排出される媒体Ｐを第２の画像読取ユニット１１４の媒体載置部１３２ａへ案内するガイド部材として機能する。スロープ部材１４２は、幅方向に延設され、その両端には係合部１４４が設けられている。係合部１４４は、幅方向において第１の画像読取ユニット１１２の排出口１３０から排出される媒体Ｐの通過する領域から外れた位置に設けられている。また、係合部１４４の先端には回転自在なローラー部材１４６（接触部）が設けられている。
【０１３３】
尚、ローラー部材１４６は、接続体１１６に第１の画像読取ユニット１１２及び第２の画像読取ユニット１１４が装着された状態において、第１の画像読取ユニット１１２の前面１１２ａと接触している。
【０１３４】
また、本実施例においてスロープ部材１４２の奥行き方向前面側には、回動軸１４２ａ（図１２参照）が設けられている。スロープ部材１４２は、回動軸１４２ａを支点に第１部材１３８に対して回動可能に取り付けられている。本実施例において、スロープ部材１４２は、当該スロープ部材１４２を図１１及び図１４における反時計回り方向に回動させることにより、第１の画像読取ユニット１１２の排出口１３０から排出される媒体Ｐを第２の画像読取ユニット１１４の媒体載置部１３２ａへ案内するガイド姿勢（図１１参照）から第１の画像読取ユニット１１２から排出される媒体Ｐの搬送経路から退避した姿勢（図１４参照）へ切換可能である。
【０１３５】
尚、スロープ部材１４２は、不図示の付勢手段により第１の画像読取ユニット１１２側、すなわちガイド姿勢をとるように付勢されている。また、スロープ部材１４２のガイド姿勢から退避姿勢への姿勢切換の際、ローラー部材１４６は第１の画像読取ユニット１１２の前面１１２ａと接触した状態を維持しつつ、前面１１２ａの下方側から上方側へと変位する。
【０１３６】
＜＜＜接続体について＞＞＞
図１５を参照して接続体１１６について説明する。図１５に示すように接続体１１６は、第１の画像読取ユニット１１２を取り付けるための第１取付部１１６ａと、第２の画像読取ユニット１１４を取り付けるための第２取付部１１６ｂとを備えている。本実施例において、接続体１１６は奥行き方向において背面側が前面側に対して高さ方向上方に隆起している。この隆起した部分、すなわち接続体１１６の上部に第１取付部１１６ａが設けられている。そして、第１取付部１１６ａは、第１の画像読取ユニット１１２を接続体１１６の上部に載せた際、第１の画像読取ユニット１１２を支持可能な第１の支持面として機能する。
【０１３７】
ここで、図１３を参照するに、本実施例において接続体１１６の上部には第１の画像読取ユニット１１２が載せられており、第１取付部１１６ａは第１の画像読取ユニット１１２を支持している。そして、第１取付部１１６ａは第１の画像読取ユニット１１２の底面の所定方向、すなわち奥行き方向における１／２以上の長さ領域を支持している。
【０１３８】
また、図１５において接続体１１６の前面側には、当該前面側に延び、かつ幅方向に間隔をおいて対向する一対のアーム状の支持部１４８が形成されている。そして、支持部１４８には第２取付部１１６ｂが設けられている。第２取付部１１６ｂは、第２の画像読取ユニット１１４が接続体１１６の側方（本実施例では前方側）から装着された際、第２の画像読取ユニット１１４を支持可能な第２の支持面として機能する。また、支持部１４８には、第２取付部１１６ｂの上方に位置し、第２取付部１１６ｂと対向する少なくとも１つの庇状部１５０が形成されている。尚、本実施例において、高さ方向における第２取付部１１６ｂと庇状部１５０との距離は、第２の画像読取ユニット１１４の筐体１３４の高さ方向における寸法よりも大きく設定されている。
【０１３９】
図１４及び図１６を参照するに、本実施例において第２の画像読取ユニット１１４は一対のアーム状の支持部１４８の間に配置されている。より具体的には、第２の画像読取ユニット１１４は、接続体１１６の前方側から高さ方向において第２取付部１１６ｂと庇状部１５０との間に挿入されて、接続体１１６に装着されている。そして、第２の支持面としての第２取付部１１６ｂは、第２の画像読取ユニット１１４の底面の所定方向、すなわち奥行き方向における１／２以上の長さ領域を支持可能である。
【０１４０】
また、本実施例では第１取付部１１６ａは第１の画像読取ユニット１１２の底面において奥行き方向における１／２以上の長さ領域を支持しているので、第１の画像読取ユニット１１２の重量の多くを受けることができる。
【０１４１】
また、同様に本実施例では第２取付部１１６ｂは第２の画像読取ユニット１１４の底面において奥行き方向における１／２以上の長さ領域を支持可能であるので、第２の画像読取ユニット１１４の重量の多くを受けることができる。
【０１４２】
また、図１３に示すように、第１の画像読取ユニット１１２及び第２の画像読取ユニット１１４が接続体１１６に装着された状態における接続体１１６の奥行き方向における重心位置Ｇ３は、奥行き方向において第１の画像読取ユニット１１２の重心位置Ｇ１と第２の画像読取ユニット１１４の重心位置Ｇ２との間に位置している。
【０１４３】
ここで、図１３及び図１５に示すように、接続体１１６において奥行き方向において重心位置Ｇ３に対応する位置に手掛け部１５２が設けられている。したがって、画像読取システム１１０を持ち上げる際、バランス良く持ち上げることができ、画像読取システム１１０を安定して運ぶことができる。
【０１４４】
また、接続体１１６は中継部１５４を備えている。本実施例において中継部１５４は、接続体１１６の背面側下方に配置されている。中継部１５４は、不図示の回路基板を有しており、この回路基板には接続体１１６の背面に設けられた複数の開口（図２８及び図２９参照）を介して信号線ケーブルの端子や電力供給ケーブルの端子が着脱可能である。また、接続体１１６の内部において前記回路基板から信号線ケーブル１５６が延びている。図１６に示すように信号線ケーブル１５６の一端は中継部１５４の前記回路基板（不図示）に接続され、他端は、接続体１１６に装着された状態の第２の画像読取ユニット１１４に接続されている。本実施例において信号線ケーブル１５６は、中継部１５４と第２の画像読取ユニット１１４との間のデータ送受信だけでなく、中継部１５４から第２の画像読取ユニット１１４への電力供給も併せて行っている。尚、本実施例では、一例として信号線ケーブル１５６はＵＳＢケーブルとして構成されている。
【０１４５】
ここで、図１７ないし図１９を参照して、第２の画像読取ユニット１１４と接続体１１６との装着状態について説明する。図１７に示すように、第２の画像読取ユニット１１４の筐体１３４の底面１３４ｂには、第２の画像読取ユニット１１４を机等の設置面１５８に設置した際、第２の画像読取ユニット１１４を支えるフット部１６０が複数設けられている。本実施例では、一例としてフット部１６０は底面１３４ｂに４箇所設けられている。尚、本実施例においてフット部１６０は、一例としてゴム足として構成されている。
【０１４６】
また、接続体１１６の底面１１６ｃには、接続体１１６を机等の設置面１５８に設置した際、接続体１１６を支えるフット部１６２が複数設けられている。本実施例では、一例としてフット部１６２は底面１１６ｃに４箇所設けられている。尚、本実施例においてフット部１６２もフット部１６０と同様にゴム足として構成されている。
【０１４７】
図１８及び図１９に示すように、第１の画像読取ユニット１１２及び第２の画像読取ユニット１１４が装着された接続体１１６を設置面１５８に設置すると、第１の画像読取ユニット１１２及び接続体１１６は、フット部１６２により支持される。一方、第２の画像読取ユニット１１４はフット部１６０により支持されて、自立している。この状態において、接続体１１６の庇状部１５０は、接続体１１６に対する第２の画像読取ユニット１１４の高さ方向上方への変位を規制している。
【０１４８】
また、この状態において、接続体１１６の第２取付部１１６ｂと第２の画像読取ユニット１１４の底部とは離間した状態となっている（図１９参照）。すなわち、第２取付部１１６ｂと第２の画像読取ユニット１１４の底部との間には隙間１６４が形成されている。尚、図１９は図１８における一点鎖線で囲まれた領域を拡大して図示している。
【０１４９】
また、接続体１１６に第１の画像読取ユニット１１２及び第２の画像読取ユニット１１４が装着された状態において、画像読取システム１１０を設置面１５８から持ち上げると、第２の画像読取ユニット１１４は、第２の画像読取ユニット１１４の自重により下方に変位し、第２取付部１１６ｂと第２の画像読取ユニット１１４の底部とが接触する。すなわち、隙間１６４が解消され、第２の画像読取ユニット１１４は第２取付部１１６ｂに支持された状態となる。
【０１５０】
＜＜＜画像読取システムの組立について＞＞＞
次いで、図２０ないし図２９を参照して、画像読取システム１１０の組立について説明する。図２０を参照するに、第２の画像読取ユニット１１４における背面側の端部が示されており、当該背面側の端部には被結合部材１６６が着脱可能に取り付けられる。被結合部材１６６には、第１部材１３８の回動軸１３９を受け入れる軸受入部１６６ａと、後述する結合部材１６８と係合する係合部１６６ｂとが設けられている。
【０１５１】
次いで、図２１に示すように第２の画像読取ユニット１１４の筐体１３４にカバー部１３２を取り付ける。具体的にはカバー部１３２の第１部材１３８の回動軸１３９を被結合部材１６６の軸受入部１６６ａに嵌め込む。これにより、カバー部１３２は回動軸１３９を支点として筐体１３４に対して回動可能となる。
【０１５２】
次に、図２２に示すように第２の画像読取ユニット１１４を接続体１１６の前面側から一対の支持部１４８の間に挿入する。この際、高さ方向において筐体１３４が支持部１４８の第２取付部１１６ｂと庇状部１５０との間に位置するように第２の画像読取ユニット１１４を支持部１４８に挿入する。そして、第２の画像読取ユニット１１４を接続体１１６に設けられた位置規制部１７０に突き当てる。本実施例において位置規制部１７０は接続体１１６において奥行き方向における第２の画像読取ユニット１１４の位置を規定する。また、位置規制部１７０には開口１７２が設けられている。本実施例において開口１７２は、接続体１１６に第２の画像読取ユニット１１４を取り付けた際、筐体１３４の背面側端部に設けられた後述する信号線端子部１７８（図２３参照）に対応する位置に設けられている。
【０１５３】
次に、図２３及び図２４に示すように第２の画像読取ユニット１１４を位置規制部１７０に突き当てた状態で、結合部材１６８を用いて、第２の画像読取ユニット１１４と接続体１１６との結合を行う。接続体１１６には、第２の画像読取ユニット１１４の被結合部材１６６に対応する位置に結合部材取付部１７４が設けられている。また、結合部材１６８は図２４に示すように奥行き方向に延びるともに第２の画像読取ユニット１１４側の端部が下方に向けて突出した突出部１６８ａを有している。
【０１５４】
突出部１６８ａは被結合部材１６６の係合部１６６ｂに高さ方向において相対移動可能に受け入れられている。また、突出部１６８ａは係合部１６６ｂに受け入れられた状態で奥行き方向背面側で当該係合部１６６ｂと係合している。つまり、突出部１６８ａと係合部１６６ｂとの係合により、第２の画像読取ユニット１１４は奥行き方向において接続体１１６に拘束されている。
【０１５５】
そして、結合部材取付部１７４に結合部材１６８をねじ等の締結部材１７６により取り付けることにより、第２の画像読取ユニット１１４と接続体１１６との結合が行われる。すなわち、第２の画像読取ユニット１１４と接続体１１６とが一体化される。また、本実施例では突出部１６８ａと係合部１６６ｂとが高さ方向において相対移動可能であることから、筐体１３４は第２取付部１１６ｂと庇状部１５０との間で高さ方向への変位が可能である。
【０１５６】
次に図２５に示すように、第２の画像読取ユニット１１４の奥行き方向側の端部に設けられた信号線端子部１７８（図２０参照）に中継部１５４から延びる信号線ケーブル１５６の他端を挿入して中継部１５４と第２の画像読取ユニット１１４とを電気的に接続する。これにより、接続体１１６に対する第２の画像読取ユニット１１４の装着作業が完了する。尚、本実施例において信号線ケーブル１５６は、データの送受信に加えて中継部１５４から第２の画像読取ユニット１１４への電力供給も併せて行われる。
【０１５７】
続いて、図２６ないし図２９を参照して接続体１１６に対する第１の画像読取ユニット１１２の装着について説明する。接続体１１６の第１取付部１１６ａには、フック状の掛止部１８０（図１５及び図２７参照）が設けられている。また、第１の画像読取ユニット１１２の底部には、掛止部１８０と係合可能な被掛止部１８２（図２７参照）が設けられている。
【０１５８】
図２６に示すように第１の画像読取ユニット１１２を接続体１１６の上部、具体的には第１取付部１１６ａに載せる。この際、第１の画像読取ユニット１１２は奥行き方向においてスロープ部材１４２から離れた側、すなわち背面側寄りに第１取付部１１６ａに載せる。これにより、第１取付部１１６ａの掛止部１８０は、第１の画像読取ユニット１１２の底部の被掛止部１８２に受け入れられた状態となる（図２７における二点鎖線部参照）。そして、第１の画像読取ユニット１１２を第１取付部１１６ａに載せた後、第１の画像読取ユニット１１２を奥行き方向前方側、つまりスロープ部材１４２の側にスライドさせる。これにより、第１取付部１１６ａの掛止部１８０は被掛止部１８２と係合する（図２７実線部参照）。
【０１５９】
次に図２８に示すように第１の画像読取ユニット１１２と接続体１１６とを結合部材１８４により結合する。具体的には第１の画像読取ユニット１１２の背面と接続体１１６の背面とに跨る結合部材１８４をねじ等の締結部材１８６により接続体１１６に取り付ける。これにより第１の画像読取ユニット１１２と接続体１１６とが一体化される。
【０１６０】
そして、図２９に示すように接続体１１６の背面側において、中継部１５４から延びる電力線ケーブル１８８と、信号線ケーブル１９０とを第１の画像読取ユニット１１２の背面に設けられた電力供給端子及び信号線端子にそれぞれ接続する。これにより、接続体１１６に対する第１の画像読取ユニット１１２の装着作業が完了する。そして、この状態では、接続体１１６を介して第１の画像読取ユニット１１２と第２の画像読取ユニット１１４とが一体化される。
【０１６１】
また、図２９に示すように接続体１１６の背面には中継部１５４を介して第１の画像読取ユニット１１２及び第２の画像読取ユニット１１４へ電力を供給するための電力供給端子１９２と、中継部１５４を介して第１の画像読取ユニット１１２及び第２の画像読取ユニット１１４へ画像読取データ等のデータや各画像読取ユニット１１２、１１４の操作のための制御信号の送受信を行うための信号線端子１９４が設けられている。
【０１６２】
また、電力供給端子１９２は図示しない電力供給ケーブルにより外部電源等に接続されている。また、信号線端子１９４も図示しない信号線ケーブルによりＰＣ等の外部入力機器に接続されている。
【０１６３】
＜＜＜実施例２の変更例＞＞＞
（１）本実施例では、第２の画像読取ユニット１１４と接続体１１６と間で信号線ケーブル１５６により電力供給及び信号の送受信を行う構成としたが、電力供給と信号の送受信とを異なるケーブルに分けて行う構成としてもよい。
（２）本実施例では、第１の画像読取ユニット１１２と接続体１１６と間で電力線ケーブル１８８及び信号線ケーブル１９０により電力供給及び信号の送受信をそれぞれ行う構成としたが、第２の画像読取ユニット１１４と接続体１１６と間のように１本のケーブルで電力供給と信号の送受信とを行う構成としてもよい。
【０１６４】
上記説明をまとめると、画像読取システム１１０は搬送経路に沿って搬送される媒体の面を読み取り可能な第１の画像読取ユニット１１２と、媒体を媒体読取面１３４ａに載置して当該媒体の面を読み取り可能な第２の画像読取ユニット１１４と、第１の画像読取ユニット１１２及び第２の画像読取ユニット１１４がそれぞれ着脱可能に装着され、第１の画像読取ユニット１１２及び第２の画像読取ユニット１１４が装着された状態において第１の画像読取ユニット１１２と第２の画像読取ユニット１１４とを一体化させる接続体１１６とを備えている。
【０１６５】
上記構成によれば、接続体１１６には第１の画像読取ユニット１１２及び第２の画像読取ユニット１１４がそれぞれ着脱可能に装着されるので、例えば、画像読取システム１１０を運搬する際、接続体１１６から第１の画像読取ユニット１１２及び第２の画像読取ユニット１１４の少なくとも一つを取り外して運搬することが可能である。つまり、画像読取システム１１０を一体で運ぶのではなく、画像読取システム１１０一部を取り外し、複数に分けて運搬でき、１回あたりの運搬重量を小さくできる。その結果、画像読取システム１１０の容易に運べるので、画像読取システム１１０の運搬性を向上させることができる。
【０１６６】
また、画像読取システム１１０において、例えば第１の画像読取ユニット１１２又は第２の画像読取ユニット１１４が故障した際、故障した第１の画像読取ユニット１１２又は第２の画像読取ユニット１１４を接続体１１６から取り外して修理に出す間も、故障していない第１の画像読取ユニット１１２または第２の画像読取ユニット１１４の使用を継続できる。また、故障した第１の画像読取ユニット１１２又は第２の画像読取ユニット１１４を交換することにより、第１の画像読取ユニット１１２又は第２の画像読取ユニット１１４の状態を速やかに復旧できるので、故障による画像読取システム１１０の使用できない期間を短くできる。したがって、画像読取システム１１０における利便性を向上させることができる。
【０１６７】
また、本実施例において第１の画像読取ユニット１１２は接続体１１６の上面に装着され、第２の画像読取ユニット１１４は接続体１１６の側方から接続体１１６に装着される。上記構成によれば、接続体１１６に対して第１の画像読取ユニット１１２及び第２の画像読取ユニット１１４を装着する際、第１の画像読取ユニット１１２は接続体１１６へ上方から装着するのに対し、第２の画像読取ユニット１１４は接続体１１６へ側方から装着する。これにより、接続体１１６への各画像読取ユニット１１２、１１４の装着作業において、第１の画像読取ユニット１１２及び第２の画像読取ユニット１１４の装着経路が互いに干渉しないので、接続体１１６への装着作業の作業性を向上させることができる。
【０１６８】
また、本実施例によれば、接続体１１６は第１の画像読取ユニット１１２の底面の少なくとも一部を支持可能な第１取付部１１６ａと、第２の画像読取ユニット１１４の底面の少なくとも一部を支持可能な第２取付部１１６ｂとを有している。そして、第１取付部１１６ａは第１の画像読取ユニット１１２の底面の所定方向における１／２以上の長さ領域を支持可能であり、第２取付部１１６ｂは第２の画像読取ユニット１１４の底面の所定方向における１／２以上の長さ領域を支持可能である。
【０１６９】
上記構成によれば、接続体１１６において第１取付部１１６ａは、第１の画像読取ユニット１１２の底面において奥行き方向における１／２以上の長さ領域を支持可能であり、第２取付部１１６ｂは、第２の画像読取ユニット１１４の底面において奥行き方向における１／２以上の長さ領域を支持可能である。つまり、画像読取システム１１０に第１の画像読取ユニット１１２及び第２の画像読取ユニット１１４を装着した状態において画像読取システム１１０を運ぶ際、第１の画像読取ユニット１１２及び第２の画像読取ユニット１１４の底面の半分以上が接続体１１６に支持されるので接続体１１６と第１の画像読取ユニット１１２との結合部、接続体１１６と第２の画像読取ユニット１１４との結合部に過剰な負荷が生じることを抑制でき、画像読取システム１１０の破損を抑制できる。
【０１７０】
また、本実施例によれば、接続体１１６には第１の画像読取ユニット１１２及び第２の画像読取ユニット１１４が取り付けられた状態における接続体１１６の重心位置Ｇ３に対応する位置に手掛け部１５２が設けられている。
上記構成によれば、接続体１１６に第１の画像読取ユニット１１２及び第２の画像読取ユニット１１４が装着された状態で画像読取システム１１０を運ぶ際、安定して画像読取システム１１０を運ぶことができる。
【０１７１】
本実施例によれば、第２の画像読取ユニット１１４は第１の画像読取ユニット１１２から排出される媒体を第２の画像読取ユニット１１４の上部、すなわちカバー部１３２の媒体載置部１３２ａに案内するスロープ部材１４２を備えている。そして、第１の画像読取ユニット１１２の下部には被掛止部１８２が設けられ、接続体１１６の上部には第１の画像読取ユニット１１２の被掛止部１８２と係合可能な掛止部１８０が設けられている。掛止部１８０と被掛止部１８２との係合は、第１の画像読取ユニット１１２を接続体１１６の上部、つまり第１取付部１１６ａに載せた後、第１の画像読取ユニット１１２をスロープ部材１４２の側にスライドさせることで行われる。
【０１７２】
上記構成によれば、第１の画像読取ユニット１１２を接続体１１６の上部、つまり第１取付部１１６ａにおいてスロープ部材１４２と離れた側に載せた後、スロープ部材１４２側にスライドさせるので、第１の画像読取ユニット１１２を接続体１１６の第１取付部１１６ａに載せる際、第１の画像読取ユニット１１２がスロープ部材１４２と干渉することを抑制でき、スロープ部材１４２の破損を抑制できる。
【０１７３】
また、本実施例において接続体１１６には、第２の画像読取ユニット１１４が装着された際に第２の画像読取ユニット１１４の一部を覆う庇状部１５０が設けられている。
上記構成によれば、庇状部１５０は第２の画像読取ユニット１１４が接続体１１６に装着された際、第２の画像読取ユニット１１４の上方への変位を規制できる。
【０１７４】
また、本実施例において接続体１１６には、第１の画像読取ユニット１１２における媒体の排出方向に突出し、排出方向と交差する方向に間隔をおいて対向する一対の支持部１４８を備え、一対の支持部１４８には庇状部１５０が設けられている。
【０１７５】
また、本実施例において、画像読取システム１１０は第２の画像読取ユニット１１４が装着された状態の接続体１１６を設置面１５８に載置した状態では、第２の画像読取ユニット１１４の底部と接続体１１６との間に隙間１６４が形成されており、接続体１１６を設置面１５８から持ち上げることにより、隙間１６４が解消して第２の画像読取ユニット１１４が接続体１１６により支持される構成を備える。
【０１７６】
本実施例における媒体読取面１３４ａ（第２の画像読取ユニット１１４を構成する）の少なくとも一部は画像読取システムの高さ方向において第１の画像読取ユニット１１２の少なくとも一部と重なっているので、高さ方向と交差する方向、具体的には本実施例における画像読取システムの奥行き方向において第１の画像読取ユニット１１２の領域に第２の画像読取ユニット１１４が入り込んでいる状態となり、奥行き方向における画像読取システムのサイズを小さくすることができる。
【０１７７】
また、本実施例におけるカバー部１３２（第２の画像読取ユニット１１４を構成する）の少なくとも一部は高さ方向において第１の画像読取ユニット１１２の少なくとも一部と重なっているので、高さ方向と交差する方向、具体的には本実施例における奥行き方向において第１の画像読取ユニット１１２の領域に第２の画像読取ユニット１１４が入り込んでいる状態となり、奥行き方向における画像読取システムのサイズを小さくすることができる。
【０１７８】
また、本実施例における媒体読取面１３４ａ（第２の画像読取ユニット１１４を構成する）の少なくとも一部は、高さ方向において閉じた姿勢における媒体支持部１１８（第１の画像読取ユニット１１２を構成する）の少なくとも一部と重なっているので、奥行き方向において第１の画像読取ユニット１１２の領域に第２の画像読取ユニット１１４が入り込んでいる状態となり、奥行き方向における画像読取システムのサイズを小さくすることができる。
【０１７９】
また、本実施例におけるカバー部１３２（第２の画像読取ユニット１１４を構成する）の少なくとも一部は、高さ方向において排出ローラー対１２８（第１の画像読取ユニット１１２を構成する）の少なくとも一部と重なっているので、奥行き方向において第１の画像読取ユニット１１２の領域に第２の画像読取ユニット１１４が入り込んでいる状態となり、奥行き方向における画像読取システムのサイズを小さくすることができる。
【０１８０】
また、本実施例におけるカバー部１３２（第２の画像読取ユニット１１４を構成する）の少なくとも一部は、高さ方向において第１の画像読取ユニット１１２に設けられた画像読取部１２６の少なくとも一部と重なっているので、奥行き方向において第１の画像読取ユニット１１２の領域に第２の画像読取ユニット１１４が入り込んでいる状態となり、奥行き方向における画像読取システムのサイズを小さくすることができる。
【０１８１】
また、本実施例における媒体読取面１３４ａ（第２の画像読取ユニット１１４を構成する）の少なくとも一部は、第１の画像読取ユニット１１２における媒体の排出方向において排出ローラー対１２８と排出口１３０との間に位置しているので、媒体の排出方向において第１の画像読取ユニット１１２の領域に第２の画像読取ユニット１１４が入り込んでいる状態となり、排出方向における画像読取システムのサイズを小さくすることができる。
【０１８２】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【０１８３】
１０…画像読取装置、１２，１１２…第１の画像読取ユニット、１４，１１４…第２の画像読取ユニット、１６，１１６…接続体、１８，１１８…媒体支持部、２６，１２６…画像読取部、２８，１２８…排出ローラー対、３０，１３０…排出口、３２，１３２…カバー部、３２ａ，１３２ａ…媒体載置部、３４ａ，１３４ａ…媒体読取面、３８，１３８…第１部材、４０，１４０…第２部材、４６，１４２…スロープ部材、５０…接触部、１１０…画像読取システム、１１６ａ…第１取付部、１１６ｂ…第２取付部、１４６…ローラー部材、１５２…手掛け部、１５４…中継部、１５６，１９０…信号線ケーブル、１７０…位置規制部、１８８…電力線ケーブル、Ｇ３…接続体の重心位置、Ｐ…媒体、Ｙ…奥行き方向、Ｚ…高さ方向。
【図１】
2020171029.tif 000003
【図２】
2020171029.tif 000004
【図３】
2020171029.tif 000005
【図４】
2020171029.tif 000006
【図５】
2020171029.tif 000007
【図６】
2020171029.tif 000008
【図７】
2020171029.tif 000009
【図８】
2020171029.tif 000010
【図９】
2020171029.tif 000011
【図１０】
2020171029.tif 000012
【図１１】
2020171029.tif 000013
【図１２】
2020171029.tif 000014
【図１３】
2020171029.tif 000015
【図１４】
2020171029.tif 000016
【図１５】
2020171029.tif 000017
【図１６】
2020171029.tif 000018
【図１７】
2020171029.tif 000019
【図１８】
2020171029.tif 000020
【図１９】
2020171029.tif 000021
【図２０】
2020171029.tif 000022
【図２１】
2020171029.tif 000023
【図２２】
2020171029.tif 000024
【図２３】
2020171029.tif 000025
【図２４】
2020171029.tif 000026
【図２５】
2020171029.tif 000027
【図２６】
2020171029.tif 000028
【図２７】
2020171029.tif 000029
【図２８】
2020171029.tif 000030
【図２９】
2020171029.tif 000031
【手続補正書】
【提出日】令和2年7月13日(2020.7.13)
【手続補正１】
【補正対象書類名】特許請求の範囲
【補正対象項目名】全文
【補正方法】変更
【補正の内容】
【特許請求の範囲】
【請求項１】
搬送経路に沿って搬送される媒体の面を読み取り可能な第１読取手段を備える第１の画像読取ユニットと、
媒体を媒体読取面に載置して当該媒体の面を読み取り可能な第２読取手段を備える第２の画像読取ユニットと、
前記第１の画像読取ユニットと前記第２の画像読取ユニットの少なくとも一方が着脱可能に装着され、前記第１の画像読取ユニットと前記第２の画像読取ユニットとを一体化させる接続体と、を備え、
前記第１の画像読取ユニットは、前記接続体の上面に接続され、
前記第２の画像読取ユニットは、前記接続体の側方に接続され、
前記第２の画像読取ユニットは、
前記媒体読取面に対して閉じた姿勢と開いた姿勢とを切換可能に設けられ、前記第１の画像読取ユニットから排出される媒体を載置する媒体載置部が上部に形成された開閉体を備え、
前記開閉体における前記接続体側の一部は、装置高さ方向から上面視した場合において前記第１読取手段の少なくとも一部と重なっていることを特徴とする画像読取装置。
【請求項２】
請求項１に記載の画像読取装置において、
前記媒体読取面における前記接続体側の一部は、装置高さ方向から上面視した場合において、前記第１の画像読取ユニットの少なくとも一部と重なっていることを特徴とする画像読取装置。
【請求項３】
請求項２に記載の画像読取装置において、
前記第１の画像読取ユニットに対して閉じた姿勢と、前記閉じた姿勢から前記第１の画像読取ユニットに対して回動して媒体を前記搬送経路に搬送可能な姿勢で支持する、前記第１の画像読取ユニットに対して開いた姿勢とを切換可能な媒体支持部を備え、
前記媒体読取面における前記接続体側の前記一部は、装置高さ方向から上面視した場合において、前記閉じた姿勢における前記媒体支持部の少なくとも一部と重なっていることを特徴とする画像読取装置。
【請求項４】
請求項２または請求項３に記載の画像読取装置において、
前記第１の画像読取ユニットは、
前記搬送経路に沿って搬送された媒体を排出する排出ローラーと、
前記搬送経路において前記排出ローラーに対して搬送方向下流側に設けられた排出口と、を備え、
前記媒体読取面における前記接続体側の前記一部は、前記第１の画像読取ユニットにおける媒体の排出方向において前記排出ローラーと前記排出口との間に位置していることを特徴とする画像読取装置。
【請求項５】
請求項１から請求項４のいずれか一項に記載の画像読取装置において、
前記媒体載置面は、前記第１の画像読取ユニットから排出された媒体の排出方向の移動を規制するリブを備えることを特徴とする画像読取装置。
【請求項６】
請求項１から請求項５のいずれか一項に記載の画像読取装置において、
前記開閉体には当該開閉体に対して変位可能なスロープ部材が設けられ、
前記スロープ部材は、前記開閉体が前記媒体読取面に対して閉じた姿勢にある場合、前記第１の画像読取ユニットから排出される媒体を前記媒体載置部へ案内するガイド姿勢を取り、前記開閉体が前記第２の画像読取ユニットに対して閉じた姿勢から開いた姿勢に切り換えられた場合、前記開閉体に対して変位して前記搬送経路から退避する非ガイド姿勢を取ることを特徴とする画像読取装置。
【請求項７】
請求項６に記載の画像読取装置において、
前記開閉体は、前記第２の画像読取ユニットに回動可能に取り付けられるとともに前記スロープ部材が設けられた第１部材と、
当該第１部材に対して回動可能に連結された第２部材と、を備え、
前記第２部材が前記媒体読取面に対して回動可能な角度は、前記第１部材が前記媒体読取面に対して回動可能な角度よりも大きいことを特徴とする画像読取装置。
【請求項８】
請求項６または請求項７に記載の画像読取装置において、
前記スロープ部材は前記第１の画像読取ユニットと接触し、前記接触した状態で前記第１の画像読取ユニットに対して変位可能な接触部を有することを特徴とする画像読取装置。
【請求項９】
請求項１から請求項８に記載の画像読取装置において、
前記接続体は前記第１の画像読取ユニットの底面の少なくとも一部を支持可能な第１の支持面と、前記第２の画像読取ユニットの底面の少なくとも一部を支持可能な第２の支持面とを有し、
前記第１の支持面は、前記第１の画像読取ユニットの底面の所定方向における１／２以上の長さ領域を支持可能であり、
前記第２の支持面は、前記第２の画像読取ユニットの底面の所定方向における１／２以上の長さ領域を支持可能であることを特徴とする画像読取装置。
【請求項１０】
請求項１から請求項９に記載の画像読取装置において、
前記接続体には、前記第１の画像読取ユニット及び前記第２の画像読取ユニットが取り付けられた状態における前記接続体の重心位置に対応する位置に手掛け部が設けられていることを特徴とする画像読取装置。
【請求項１１】
請求項１から請求項１０のいずれか一項に記載の画像読取装置において、
前記接続体は、前記第２の画像読取ユニットの奥行き方向における位置を規定する位置規制部と、前記位置規制部の奥行き方向における装置背面側にケーブルの中継部と、を備えることを特徴とする画像読取装置。
【請求項１２】
請求項１から請求項１１のいずれか一項に記載の画像読取装置において、
前記第１の画像読取ユニットは、鉛直斜め方向に媒体を搬送する前記搬送経路を備えるシートフィード型の画像読取ユニットであり、
前記第２の画像読取ユニットは、媒体を前記媒体読取面に載置して当該媒体の面を読み取り可能なフラットベッド型の画像読取ユニットである
ことを特徴とする画像読取装置。
【請求項１３】
媒体を搬送可能な姿勢で支持する媒体支持部と、媒体支持部から鉛直斜め方向に媒体を搬送する搬送経路と、前記搬送経路に沿って搬送される媒体の面を読み取り可能な第１読取手段と、を備える第１の画像読取ユニットと、
媒体を媒体読取面に載置して当該媒体の面を読み取り可能な第２読取手段を備える第２の画像読取ユニットと、
前記第１の画像読取ユニットと前記第２の画像読取ユニットの少なくとも一方が着脱可能に装着され、前記第１の画像読取ユニットと前記第２の画像読取ユニットとを一体化させる接続体と、を備え、
前記第２の画像読取ユニットは、
前記媒体読取面に対して閉じた姿勢と開いた姿勢とを切換可能に設けられ、前記第１の画像読取ユニットから排出される媒体を載置する媒体載置部が上部に形成された開閉体を備え、
前記第１の画像読取ユニットは、前記接続体の上面に接続され、
前記第２の画像読取ユニットは、前記接続体の側方に接続され、前記第１の画像読取ユニットに対して鉛直下方に位置し、
前記開閉体における前記接続体側の一部は、装置高さ方向から上面視した場合において、前記第１の画像読取ユニットと重なっていることを特徴とする画像読取装置。
【請求項１４】
前記請求項１３に記載の画像読取装置において、
前記媒体読取面における前記接続体側の一部は、装置高さ方向から上面視した場合において、前記第１の画像読取ユニットの少なくとも一部と重なっていることを特徴とする画像読取装置。  
【請求項１５】
請求項１３または請求項１４に記載の画像読取装置において、
前記開閉体における前記接続体側の前記一部は、装置高さ方向から上面視した場合において、前記第１読取手段の少なくとも一部と重なっていることを特徴とする画像読取装置。